(57)【要約】  本発明の実施形態は、セル間干渉を効果的に抑制し、システム端ユーザのパフォーマンスおよびシステムの平均パフォーマンスを向上させるべく、スケジューリング方法、電力制御方法、および基地局を提供する。当該方法は、第１基地局が、第１リソースブロックＲＢセットおよび第２ＲＢセットを取得する段階であって、第１ＲＢセットは、第１基地局により第１セル内の第１ユーザ機器ＵＥに割り当てられたＲＢセットであり、第２ＲＢセットは、第２基地局により第２セル内の第２ＵＥに割り当てられたＲＢセットである、取得する段階と、第１ＲＢセットおよび第２ＲＢセットが共通のＲＢを有すると判定した後に、第１基地局が、第１セルから第２セルへの干渉を低減するよう第１ＲＢセットを調整する段階と、第１基地局が、調整済み第１ＲＢセットに基づいて第１ＵＥをスケジューリングする段階とを備える。本発明は、通信技術の分野に適用可能である。
2019522439.tif 000002
【特許請求の範囲】
【請求項１】
スケジューリング方法であって、
第１基地局が、第１リソースブロックＲＢセットおよび第２ＲＢセットを取得する段階であって、前記第１ＲＢセットは、前記第１基地局により第１セル内の第１ユーザ機器ＵＥに割り当てられたＲＢセットであり、前記第２ＲＢセットは、第２基地局により第２セル内の第２ＵＥに割り当てられたＲＢセットである、取得する段階と、
前記第１ＲＢセットおよび前記第２ＲＢセットが共通のＲＢを有すると判定した後に、前記第１基地局が、前記第１セルから前記第２セルへの干渉を低減するよう前記第１ＲＢセットを調整する段階と、
前記第１基地局が、調整済み第１ＲＢセットに基づいて前記第１ＵＥをスケジューリングする段階と
を備える方法。
【請求項２】
前記第１基地局が、前記第１セルから前記第２セルへの干渉を低減するよう前記第１ＲＢセットを前記調整する段階は、
前記第１基地局が、第１ＲＢが予め定められた条件を満たすか否かを判定し、前記第１ＲＢが前記予め定められた条件を満たす場合に前記第１ＲＢを前記第１ＲＢセットから削除し、前記第１ＲＢに続くＲＢを新たな第１ＲＢとして用いて、前記予め定められた条件を満たさない第１ＲＢが初めて見つかるまで判定を行う段階と、
前記第１基地局が、第２ＲＢが前記予め定められた条件を満たすか否かを判定し、前記第２ＲＢが前記予め定められた条件を満たす場合に前記第２ＲＢを前記第１ＲＢセットから削除し、前記第２ＲＢの前のＲＢを新たな第２ＲＢとして用いて、前記予め定められた条件を満たさない第２ＲＢが初めて見つかるまで判定を行う段階と
を含み、
前記第１ＲＢは、前記第１ＲＢセットにおける最初のＲＢであり、前記第２ＲＢは、前記第１ＲＢセットにおける最後のＲＢであり、前記予め定められた条件は、第１システムユーティリティが第２システムユーティリティよりも大きいことであり、前記第１システムユーティリティは、前記第１ＵＥの前記第１／第２ＲＢ上におけるスケジューリングがキャンセルされたときに用いられるシステムユーティリティであり、前記第２システムユーティリティは、前記第１ＵＥの前記第１／第２ＲＢ上におけるスケジューリングが留保されたときに用いられるシステムユーティリティである、
請求項１に記載の方法。
【請求項３】
前記第１基地局は、予め定められた計算式を用いてシステムユーティリティを計算し、前記予め定められた計算式は、
【数１】
2019522439.tif 000050
であり、式中、
【数２】
2019522439.tif 000051
であり、
【数３】
2019522439.tif 000052
は前記システムユーティリティを表し、
【数４】
2019522439.tif 000053
はシステム内におけるリソースブロックＲＢｉを共有するｎ個のＵＥのうちのｊ番目の第２ＵＥの伝送レートを表し、
【数５】
2019522439.tif 000054
は前記ｊ番目の第２ＵＥから前記第１基地局へのアップリンク伝送チャネルの信号対干渉雑音比を表し、ｎおよびｊは正の整数である、
請求項２に記載の方法。
【請求項４】
前記第１基地局が前記第１／第２ＲＢを前記第１ＲＢセットから削除する場合、前記方法はさらに、
第３システムユーティリティが前記第１システムユーティリティよりも大きいと判定した後に、前記第１基地局が、スケジューリング要件を有するが現在の伝送時間間隔ＴＴＩにおいてスケジューリングされていない第３ＵＥに前記第１／第２ＲＢを割り当てる段階であって、前記第３システムユーティリティは、前記第３ＵＥの前記第１／第２ＲＢ上におけるスケジューリングが追加されたときに用いられるシステムユーティリティである、割り当てる段階
を備える、
請求項２または３に記載の方法。
【請求項５】
電力制御方法であって、
第１基地局が、電力制御サイクルが到来した後に第１リソースブロックＲＢセットおよび第２ＲＢセットを取得する段階であって、前記第１ＲＢセットは、前記電力制御サイクル内の各伝送時間間隔ＴＴＩにおける前記第１基地局により第１セル内の第１ユーザ機器ＵＥに割り当てられたＲＢセットであり、前記第２ＲＢセットは、前記電力制御サイクル内の各ＴＴＩにおける第２基地局により第２セル内の第２ＵＥに割り当てられたＲＢセットである、取得する段階と、
前記第１基地局が、前記第１ＲＢセットおよび前記第２ＲＢセットに基づいて前記第１ＵＥに対する電力制御を行う段階と
を備える方法。
【請求項６】
前記第１基地局が、前記第１ＲＢセットおよび前記第２ＲＢセットに基づいて前記第１ＵＥに対する電力制御を前記行う段階は、
前記第１基地局が、前記第１ＲＢセットおよび前記第２ＲＢセットに基づいて、前記電力制御サイクル内の各ＴＴＩに対応する第１システムユーティリティを判定する段階であって、前記第１システムユーティリティは、前記電力制御サイクル内の各ＴＴＩにおける前記第１ＵＥの伝送電力制御ＴＰＣコマンドが−１、０、１、および３である場合に取得される４つのシステムユーティリティを含む、判定する段階と、
前記第１基地局が、前記電力制御サイクル内の各ＴＴＩに対応する前記第１システムユーティリティに基づいて、前記電力制御サイクル内の各ＴＴＩにおける前記第１ＵＥの最適ＴＰＣコマンドを判定する段階であって、前記電力制御サイクル内の各ＴＴＩにおける前記第１ＵＥの前記最適ＴＰＣコマンドは、前記ＴＴＩに対応する前記第１システムユーティリティのうちの最大システムユーティリティに対応するＴＰＣコマンドである、判定する段階と、
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを判定する段階と、
前記第１基地局が、前記最適ＴＰＣコマンドを前記第１ＵＥへ送信する段階であって、それにより前記第１ＵＥが前記最適ＴＰＣコマンドに基づいて伝送電力を調整する、送信する段階と
を含む、
請求項５に記載の方法。
【請求項７】
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを前記判定する段階は、
前記第１基地局が、前記電力制御サイクル内の前記ＴＴＩにおける前記第１ＵＥの前記最適ＴＰＣコマンドについての統計を収集して最頻出ＴＰＣコマンドを判定し、前記最頻出ＴＰＣコマンドを前記電力サイクルにおける前記第１ＵＥの前記最適ＴＰＣコマンドとして判定する段階
を含む、
請求項６に記載の方法。
【請求項８】
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを前記判定する段階は、
前記第１基地局が、前記電力制御サイクル内の前記ＴＴＩにおける前記第１ＵＥの前記最適ＴＰＣコマンドを加算して合計値を取得し、前記電力制御サイクル内の前記ＴＴＩにおける前記最適ＴＰＣコマンドのうち、前記合計値に最も近い前記第１ＵＥの最適ＴＰＣコマンドを、前記電力制御サイクルにおける前記第１ＵＥの前記最適ＴＰＣコマンドとして判定する段階
を含む、
請求項６に記載の方法。
【請求項９】
前記第１基地局は、予め定められた計算式を用いてシステムユーティリティを計算し、前記予め定められた計算式は、
【数６】
2019522439.tif 000055
であり、式中、
【数７】
2019522439.tif 000056
であり、Ｕは前記システムユーティリティを表し、
【数８】
2019522439.tif 000057
はシステム内におけるｊ番目のＵＥの伝送レートを表し、Ｂは前記ｊ番目のＵＥにより占有されるＲＢの数を表し、Ｓは前記ｊ番目のＵＥの伝送電力を表し、Ｉは前記ｊ番目のＵＥに対する干渉の強度を表し、Ｎは雑音強度を表す、
請求項６から８のいずれか一項に記載の方法。
【請求項１０】
基地局であって、
取得ユニットと、調整ユニットと、スケジューリングユニットとを備え、
前記取得ユニットは、第１リソースブロックＲＢセットおよび第２ＲＢセットを取得するよう構成され、前記第１ＲＢセットは、前記基地局により第１セル内の第１ユーザ機器ＵＥに割り当てられたＲＢセットであり、前記第２ＲＢセットは、第２基地局により第２セル内の第２ＵＥに割り当てられたＲＢセットであり、
前記調整ユニットは、前記第１ＲＢセットおよび前記第２ＲＢセットが共通のＲＢを有すると判定した後に、前記第１セルから前記第２セルへの干渉を低減するよう前記第１ＲＢセットを調整するよう構成され、
前記スケジューリングユニットは、調整済み第１ＲＢセットに基づいて前記第１ＵＥをスケジューリングするよう構成される、
基地局。
【請求項１１】
前記調整ユニットは具体的に、
第１ＲＢが予め定められた条件を満たすか否かを判定し、前記第１ＲＢが前記予め定められた条件を満たす場合に前記第１ＲＢを前記第１ＲＢセットから削除し、前記第１ＲＢに続くＲＢを新たな第１ＲＢとして用いて、前記予め定められた条件を満たさない第１ＲＢが初めて見つかるまで判定を行うことと、
第２ＲＢが前記予め定められた条件を満たすか否かを判定し、前記第２ＲＢが前記予め定められた条件を満たす場合に前記第２ＲＢを前記第１ＲＢセットから削除し、前記第２ＲＢの前のＲＢを新たな第２ＲＢとして用いて、前記予め定められた条件を満たさない第２ＲＢが初めて見つかるまで判定を行うことと
を行うよう構成され、
前記第１ＲＢは、前記第１ＲＢセットにおける最初のＲＢであり、前記第２ＲＢは、前記第１ＲＢセットにおける最後のＲＢであり、前記予め定められた条件は、第１システムユーティリティが第２システムユーティリティよりも大きいことであり、前記第１システムユーティリティは、前記第１ＵＥの前記第１／第２ＲＢ上におけるスケジューリングがキャンセルされたときに用いられるシステムユーティリティであり、前記第２システムユーティリティは、前記第１ＵＥの前記第１／第２ＲＢ上におけるスケジューリングが留保されたときに用いられるシステムユーティリティである、
請求項１０に記載の基地局。
【請求項１２】
前記調整ユニットは具体的に、予め定められた計算式を用いてシステムユーティリティを計算するよう構成され、前記予め定められた計算式は、
【数１】
2019522439.tif 000058
であり、式中、
【数２】
2019522439.tif 000059
であり、
【数３】
2019522439.tif 000060
は前記システムユーティリティを表し、
【数４】
2019522439.tif 000061
はシステム内におけるリソースブロックＲＢｉを共有するｎ個のＵＥのうちのｊ番目の第２ＵＥの伝送レートを表し、
【数５】
2019522439.tif 000062
は前記ｊ番目の第２ＵＥから前記基地局へのアップリンク伝送チャネルの信号対干渉雑音比を表し、ｎおよびｊは正の整数である、
請求項１１に記載の基地局。
【請求項１３】
前記調整ユニットはさらに、
前記第１／第２ＲＢが前記第１ＲＢセットから削除される場合、第３システムユーティリティが前記第１システムユーティリティよりも大きいと判定した後に、スケジューリング要件を有するが現在の伝送時間間隔ＴＴＩにおいてスケジューリングされていない第３ＵＥに前記第１／第２ＲＢを割り当てるよう構成され、前記第３システムユーティリティは、前記第３ＵＥの前記第１／第２ＲＢ上におけるスケジューリングが追加されたときに用いられるシステムユーティリティである、
請求項１１または１２に記載の基地局。
【請求項１４】
基地局であって、
取得ユニットと制御ユニットとを備え、
前記取得ユニットは、電力制御サイクルが到来した後に第１リソースブロックＲＢセットおよび第２ＲＢセットを取得するよう構成され、前記第１ＲＢセットは、前記電力制御サイクル内の各伝送時間間隔ＴＴＩにおける前記基地局により第１セル内の第１ユーザ機器ＵＥに割り当てられたＲＢセットであり、前記第２ＲＢセットは、前記電力制御サイクル内の各ＴＴＩにおける第２基地局により第２セル内の第２ＵＥに割り当てられたＲＢセットであり、
前記制御ユニットは、前記第１ＲＢセットおよび前記第２ＲＢセットに基づいて前記第１ＵＥに対する電力制御を行うよう構成される、
基地局。
【請求項１５】
前記制御ユニットは具体的に、
前記第１ＲＢセットおよび前記第２ＲＢセットに基づいて、前記電力制御サイクル内の各ＴＴＩに対応する第１システムユーティリティを判定することであって、前記第１システムユーティリティは、前記電力制御サイクル内の各ＴＴＩにおける前記第１ＵＥの伝送電力制御ＴＰＣコマンドが−１、０、１、および３である場合に取得される４つのシステムユーティリティを含む、判定することと、
前記電力制御サイクル内の各ＴＴＩに対応する前記第１システムユーティリティに基づいて、前記電力制御サイクル内の各ＴＴＩにおける前記第１ＵＥの最適ＴＰＣコマンドを判定することであって、前記電力制御サイクル内の各ＴＴＩにおける前記第１ＵＥの前記最適ＴＰＣコマンドは、前記ＴＴＩに対応する前記第１システムユーティリティのうちの最大システムユーティリティに対応するＴＰＣコマンドである、判定することと、
前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを判定することと、
前記最適ＴＰＣコマンドを前記第１ＵＥへ送信することであって、それにより前記第１ＵＥが前記最適ＴＰＣコマンドに基づいて伝送電力を調整する、送信することと
を行うよう構成される、
請求項１４に記載の基地局。
【請求項１６】
前記制御ユニットは具体的に、
前記電力制御サイクル内の前記ＴＴＩにおける前記第１ＵＥの前記最適ＴＰＣコマンドについての統計を収集して最頻出ＴＰＣコマンドを判定し、前記最頻出ＴＰＣコマンドを前記電力サイクルにおける前記第１ＵＥの前記最適ＴＰＣコマンドとして判定する
よう構成される、
請求項１５に記載の基地局。
【請求項１７】
前記制御ユニットは具体的に、
前記電力制御サイクル内の前記ＴＴＩにおける前記第１ＵＥの前記最適ＴＰＣコマンドを加算して合計値を取得し、前記電力制御サイクル内の前記ＴＴＩにおける前記最適ＴＰＣコマンドのうち、前記合計値に最も近い前記第１ＵＥの最適ＴＰＣコマンドを、前記電力制御サイクルにおける前記第１ＵＥの前記最適ＴＰＣコマンドとして判定する
よう構成される、
請求項１５に記載の基地局。
【請求項１８】
前記制御ユニットは具体的に、
予め定められた計算式を用いてシステムユーティリティを計算するよう構成され、前記予め定められた計算式は、
【数６】
2019522439.tif 000063
であり、式中、
【数７】
2019522439.tif 000064
であり、Ｕは前記システムユーティリティを表し、
【数８】
2019522439.tif 000065
はシステム内におけるｊ番目のＵＥの伝送レートを表し、Ｂは前記ｊ番目のＵＥにより占有されるＲＢの数を表し、Ｓは前記ｊ番目のＵＥの伝送電力を表し、Ｉは前記ｊ番目のＵＥに対する干渉の強度を表し、Ｎは雑音強度を表す、
請求項１５から１７のいずれか一項に記載の基地局。
【請求項１９】
基地局であって、
プロセッサと、メモリと、バスと、通信インタフェースとを備え、
前記メモリは、コンピュータ実行可能命令を記憶するよう構成され、前記プロセッサおよび前記メモリは、前記バスを用いて接続され、前記基地局が動作するとき、前記プロセッサは、前記メモリに記憶された前記コンピュータ実行可能命令を実行し、それにより前記基地局が請求項１から４のいずれか一項に記載のスケジューリング方法を行う、
基地局。
【請求項２０】
基地局であって、
プロセッサと、メモリと、バスと、通信インタフェースとを備え、
前記メモリは、コンピュータ実行可能命令を記憶するよう構成され、前記プロセッサおよび前記メモリは、前記バスを用いて接続され、前記基地局が動作するとき、前記プロセッサは、前記メモリに記憶された前記コンピュータ実行可能命令を実行し、それにより前記基地局が請求項５から９のいずれか一項に記載の電力制御方法を行う、
基地局。
【発明の詳細な説明】
【技術分野】
【０００１】
本発明は、通信技術の分野に関し、特に、スケジューリング方法、電力制御方法、および基地局に関する。
【背景技術】
【０００２】
移動体通信システムにおいて、セル内干渉およびセル間干渉（Ｉｎｔｅｒ  Ｃｅｌｌ  Ｉｎｔｅｒｆｅｒｅｎｃｅ、ＩＣＩ）は、システムパフォーマンスを制限する２つの主要な因子である。ロングタームエボリューション（Ｌｏｎｇ  Ｔｅｒｍ  Ｅｖｏｌｕｔｉｏｎ、ＬＴＥ）システムにおいて用いられる直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術は、直交するサブキャリアを提供することができ、それによりセル内干渉の課題を良好に解決することができる。結果として、セル間干渉が、ＬＴＥシステムのパフォーマンスを制限するより主要な因子となる。
【０００３】
現在、セル間干渉の抑制には、セル間干渉制御（Ｉｎｔｅｒ  Ｃｅｌｌ  Ｉｎｔｅｒｆｅｒｅｎｃｅ  Ｃｏｏｒｄｉｎａｔｉｏｎ、ＩＣＩＣ）技術が用いられている。この技術の原理は、セル中心ユーザ（Ｃｅｌｌ  Ｃｅｎｔｅｒ  Ｕｓｅｒ、ＣＣＵ）には全ての周波数リソースを自由に使用することを許可し、セル端ユーザ（Ｃｅｌｌ  Ｅｄｇｅ  Ｕｓｅｒ、ＣＥＵ）には周波数多重化ルールに従って一部の周波数リソースのみの使用を許可することである。例えば、図１に示すように、システムの周波数リソースが３つの帯域に分割される場合がある。全セルのＣＣＵには全ての周波数リソースの使用が許可される一方で、セル１のＣＥＵには第１周波数帯域のみの使用が許可され、セル２、セル４、およびセル６のＣＥＵには第２周波数帯域のみの使用が許可され、セル３、セル５、およびセル７のＣＥＵには第３周波数帯域のみの使用が許可される。このようにすることで、隣接セルのＣＥＵによって使用される周波数リソースが重複しないようにでき、隣接セルのＣＥＵ間の干渉を効果的に抑制することができる。
【０００４】
しかしながら、既存のＩＣＩＣ技術に基づくと、現在のセルのＣＥＵと隣接セルのＣＣＵとが同一の周波数帯域上にスケジューリングされる場合がある。隣接セルのＣＥＵと比較して、隣接セルのＣＣＵは、現在のセルのＣＥＵに対してより重大な干渉を生じさせる可能性が高い。従って、セル間干渉を抑制するための既存の方法は、セル間干渉を抑制するという目的を実現できない場合があり、むしろシステム端ユーザのパフォーマンスを悪化させる場合がある。
【発明の概要】
【０００５】
これに鑑みて、少なくとも、セル間干渉が抑制されない場合がありむしろシステム端ユーザのパフォーマンスが悪化する場合があるという従来技術の課題を解決することで、セル間干渉を効果的に抑制し、システム端ユーザのパフォーマンスおよびシステムの平均パフォーマンスを向上させるべく、本発明の実施形態は、スケジューリング方法、電力制御方法、および基地局を提供する。
【０００６】
上記の目的を実現するべく、本発明の実施形態において以下の技術的解決手段を用いる。
【０００７】
第１態様によれば、スケジューリング方法であって、第１基地局が、第１リソースブロックＲＢセットおよび第２ＲＢセットを取得する段階であって、第１ＲＢセットは、第１基地局により第１セル内の第１ユーザ機器ＵＥに割り当てられたＲＢセットであり、第２ＲＢセットは、第２基地局により第２セル内の第２ＵＥに割り当てられたＲＢセットである、取得する段階と、次いで、第１ＲＢセットおよび第２ＲＢセットが共通のＲＢを有すると判定した後に、第１基地局が、第１セルから第２セルへの干渉を低減するよう第１ＲＢセットを調整する段階と、最後に、第１基地局が、調整済み第１ＲＢセットに基づいて第１ＵＥをスケジューリングする段階とを備える方法が提供される。
【０００８】
第１態様の第１の可能な実装において、第１基地局が、第１セルから第２セルへの干渉を低減するよう第１ＲＢセットを調整する段階は、第１基地局が、第１ＲＢが予め定められた条件を満たすか否かを判定し、第１ＲＢが予め定められた条件を満たす場合に第１ＲＢを第１ＲＢセットから削除し、第１ＲＢに続くＲＢを新たな第１ＲＢとして用いて、予め定められた条件を満たさない第１ＲＢが初めて見つかるまで判定を行う段階と、第１基地局が、第２ＲＢが予め定められた条件を満たすか否かを判定し、第２ＲＢが予め定められた条件を満たす場合に第２ＲＢを第１ＲＢセットから削除し、第２ＲＢの前のＲＢを新たな第２ＲＢとして用いて、予め定められた条件を満たさない第２ＲＢが初めて見つかるまで判定を行う段階とを含み、第１ＲＢは、第１ＲＢセットにおける最初のＲＢであり、第２ＲＢは、第１ＲＢセットにおける最後のＲＢであり、予め定められた条件は、第１システムユーティリティが第２システムユーティリティよりも大きいことであり、第１システムユーティリティは、第１ＵＥの第１／第２ＲＢ上におけるスケジューリングがキャンセルされたときに用いられるシステムユーティリティであり、第２システムユーティリティは、第１ＵＥの第１／第２ＲＢ上におけるスケジューリングが留保されたときに用いられるシステムユーティリティである。
【０００９】
第１態様の第２の可能な実装例において、第１基地局は、予め定められた計算式を用いてシステムユーティリティを計算し、予め定められた計算式は、
【数１】
2019522439.tif 000003
であり、式中、
【数２】
2019522439.tif 000004
であり、
【数３】
2019522439.tif 000005
はシステムユーティリティを表し、
【数４】
2019522439.tif 000006
はシステム内におけるリソースブロックＲＢｉを共有するｎ個のＵＥのうちのｊ番目の第２ＵＥの伝送レートを表し、
【数５】
2019522439.tif 000007
はｊ番目の第２ＵＥから第１基地局へのアップリンク伝送チャネルの信号対干渉雑音比を表し、ｎおよびｊは正の整数である。
【００１０】
第１態様の第３の可能な実装において、第１基地局が第１／第２ＲＢを第１ＲＢセットから削除する場合、方法はさらに、第３システムユーティリティが第１システムユーティリティよりも大きいと判定した後に、第１基地局が、スケジューリング要件を有するが現在の伝送時間間隔ＴＴＩにおいてスケジューリングされていない第３ＵＥに第１／第２ＲＢを割り当てる段階であって、第３システムユーティリティは、第３ＵＥの第１／第２ＲＢ上におけるスケジューリングが追加されたときに用いられるシステムユーティリティである、割り当てる段階を備える。
【００１１】
このように、第１基地局が第１ＵＥに対してリソース調整を行うプロセスにおいて、第１ＵＥのいくつかＲＢ上におけるスケジューリングがキャンセルされた場合、スケジューリング要件を有するがスケジューリングされていないＵＥにそれらのＲＢが割り当てられる、換言すると、余剰リソースが発生すると新たなユーザが余剰リソース上にスケジューリングされることで、システムリソースの利用度が向上し、それによりシステムパフォーマンスが向上する。
【００１２】
第２態様によれば、基地局であって、取得ユニットと、調整ユニットと、スケジューリングユニットとを備え、取得ユニットは、第１リソースブロックＲＢセットおよび第２ＲＢセットを取得するよう構成され、第１ＲＢセットは、基地局により第１セル内の第１ユーザ機器ＵＥに割り当てられたＲＢセットであり、第２ＲＢセットは、第２基地局により第２セル内の第２ＵＥに割り当てられたＲＢセットであり、調整ユニットは、第１ＲＢセットおよび第２ＲＢセットが共通のＲＢを有すると判定した後に、第１セルから第２セルへの干渉を低減するよう第１ＲＢセットを調整するよう構成され、スケジューリングユニットは、調整済み第１ＲＢセットに基づいて第１ＵＥをスケジューリングするよう構成される、基地局が提供される。
【００１３】
第２態様の第１の可能な実装において、調整ユニットは具体的に、第１ＲＢが予め定められた条件を満たすか否かを判定し、第１ＲＢが予め定められた条件を満たす場合に第１ＲＢを第１ＲＢセットから削除し、第１ＲＢに続くＲＢを新たな第１ＲＢとして用いて、予め定められた条件を満たさない第１ＲＢが初めて見つかるまで判定を行うことと、第２ＲＢが予め定められた条件を満たすか否かを判定し、第２ＲＢが予め定められた条件を満たす場合に第２ＲＢを第１ＲＢセットから削除し、第２ＲＢの前のＲＢを新たな第２ＲＢとして用いて、予め定められた条件を満たさない第２ＲＢが初めて見つかるまで判定を行うこととを行うよう構成され、第１ＲＢは、第１ＲＢセットにおける最初のＲＢであり、第２ＲＢは、第１ＲＢセットにおける最後のＲＢであり、予め定められた条件は、第１システムユーティリティが第２システムユーティリティよりも大きいことであり、第１システムユーティリティは、第１ＵＥの第１／第２ＲＢ上におけるスケジューリングがキャンセルされたときに用いられるシステムユーティリティであり、第２システムユーティリティは、第１ＵＥの第１／第２ＲＢ上におけるスケジューリングが留保されたときに用いられるシステムユーティリティである。
【００１４】
第２態様の第２の可能な実装例において、調整ユニットは具体的に、予め定められた計算式を用いてシステムユーティリティを計算するよう構成され、予め定められた計算式は、
【数１】
2019522439.tif 000008
であり、式中、
【数２】
2019522439.tif 000009
であり、
【数３】
2019522439.tif 000010
はシステムユーティリティを表し、
【数４】
2019522439.tif 000011
はシステム内におけるリソースブロックＲＢｉを共有するｎ個のＵＥのうちのｊ番目の第２ＵＥの伝送レートを表し、
【数５】
2019522439.tif 000012
はｊ番目の第２ＵＥから基地局へのアップリンク伝送チャネルの信号対干渉雑音比を表し、ｎおよびｊは正の整数である。
【００１５】
第２態様の第３の可能な実装において、調整ユニットはさらに、第１／第２ＲＢが第１ＲＢセットから削除される場合、第３システムユーティリティが第１システムユーティリティよりも大きいと判定した後に、スケジューリング要件を有するが現在の伝送時間間隔ＴＴＩにおいてスケジューリングされていない第３ＵＥに第１／第２ＲＢを割り当てるよう構成され、第３システムユーティリティは、第３ＵＥの第１／第２ＲＢ上におけるスケジューリングが追加されたときに用いられるシステムユーティリティである。
【００１６】
このように、基地局が第１ＵＥに対してリソース調整を行うプロセスにおいて、第１ＵＥのいくつかＲＢ上におけるスケジューリングがキャンセルされた場合、スケジューリング要件を有するがスケジューリングされていないＵＥにそれらのＲＢが割り当てられる、換言すると、余剰リソースが発生すると新たなユーザが余剰リソース上にスケジューリングされることで、システムリソースの利用度が向上し、それによりシステムパフォーマンスが向上する。
【００１７】
第３態様によれば、基地局であって、プロセッサと、メモリと、バスと、通信インタフェースとを備え、メモリは、コンピュータ実行可能命令を記憶するよう構成され、プロセッサおよびメモリは、バスを用いて接続され、基地局が動作するとき、プロセッサは、メモリに記憶されたコンピュータ実行可能命令を実行し、それにより基地局が第１態様または第１態様の第１から第３の可能な実装のいずれか一つに係るスケジューリング方法を行う、基地局が提供される。
【００１８】
本発明の実施形態において提供するスケジューリング方法および基地局に基づくと、基地局は、基地局により第１セル内の第１ＵＥに割り当てられた第１ＲＢセットおよび第２基地局により第２セル内の第２ＵＥに割り当てられた第２ＲＢセットを取得し、第１ＲＢセットおよび第２ＲＢセットが共通のＲＢを有すると判定した後に第１ＲＢセットを調整する。基地局は具体的に、第１ＲＢセットおよび第２ＲＢセットに基づいて、どの共有リソースが第１セル内の第１ＵＥと第２セル内の第２ＵＥとの間のセル間干渉を生じさせるかを認識してよく、それに応じて第１ＲＢセットを調整することで、第１セル内の第１ＵＥおよび第２セル内の第２ＵＥを可能な限り異なる周波数帯域にスケジューリングし、それにより、セル間干渉が効果的に抑制され、システム端ユーザのパフォーマンスおよびシステムの平均パフォーマンスが向上する。
【００１９】
第４態様によれば、電力制御方法であって、第１基地局が、電力制御サイクルが到来した後に第１リソースブロックＲＢセットおよび第２ＲＢセットを取得する段階であって、第１ＲＢセットは、電力制御サイクル内の各伝送時間間隔ＴＴＩにおける第１基地局により第１セル内の第１ユーザ機器ＵＥに割り当てられたＲＢセットであり、第２ＲＢセットは、電力制御サイクル内の各ＴＴＩにおける第２基地局により第２セル内の第２ＵＥに割り当てられたＲＢセットである、取得する段階と、第１基地局が、第１ＲＢセットおよび第２ＲＢセットに基づいて第１ＵＥに対する電力制御を行う段階とを備える方法が提供される。
【００２０】
第４態様の第１の可能な実装において、第１基地局が、第１ＲＢセットおよび第２ＲＢセットに基づいて第１ＵＥに対する電力制御を行う段階は、第１基地局が、第１ＲＢセットおよび第２ＲＢセットに基づいて、電力制御サイクル内の各ＴＴＩに対応する第１システムユーティリティを判定する段階であって、第１システムユーティリティは、電力制御サイクル内の各ＴＴＩにおける第１ＵＥの伝送電力制御ＴＰＣコマンドが−１、０、１、および３である場合に取得される４つのシステムユーティリティを含む、判定する段階と、第１基地局が、電力制御サイクル内の各ＴＴＩに対応する第１システムユーティリティに基づいて、電力制御サイクル内の各ＴＴＩにおける第１ＵＥの最適ＴＰＣコマンドを判定する段階であって、電力制御サイクル内の各ＴＴＩにおける第１ＵＥの最適ＴＰＣコマンドは、ＴＴＩに対応する第１システムユーティリティのうちの最大システムユーティリティに対応するＴＰＣコマンドである、判定する段階と、第１基地局が、電力制御サイクル内の各ＴＴＩにおける第１ＵＥの最適ＴＰＣコマンドに基づいて、電力制御サイクルにおける第１ＵＥの最適ＴＰＣコマンドを判定する段階と、第１基地局が、最適ＴＰＣコマンドを第１ＵＥへ送信する段階であって、それにより第１ＵＥが最適ＴＰＣコマンドに基づいて伝送電力を調整する、送信する段階とを含む。
【００２１】
第４態様の第２の可能な実装例において、第１基地局が、電力制御サイクル内の各ＴＴＩにおける第１ＵＥの最適ＴＰＣコマンドに基づいて、電力制御サイクルにおける第１ＵＥの最適ＴＰＣコマンドを判定する段階は、第１基地局が、電力制御サイクル内のＴＴＩにおける第１ＵＥの最適ＴＰＣコマンドについての統計を収集して最頻出ＴＰＣコマンドを判定し、最頻出ＴＰＣコマンドを電力サイクルにおける第１ＵＥの最適ＴＰＣコマンドとして判定する段階を含む。
【００２２】
第４態様の第３の可能な実装において、第１基地局が、電力制御サイクル内の各ＴＴＩにおける第１ＵＥの最適ＴＰＣコマンドに基づいて、電力制御サイクルにおける第１ＵＥの最適ＴＰＣコマンドを判定する段階は、第１基地局が、電力制御サイクル内のＴＴＩにおける第１ＵＥの最適ＴＰＣコマンドを加算して合計値を取得し、電力制御サイクル内のＴＴＩにおける最適ＴＰＣコマンドのうち、合計値に最も近い第１ＵＥの最適ＴＰＣコマンドを、電力制御サイクルにおける第１ＵＥの最適ＴＰＣコマンドとして判定する段階を含む。
【００２３】
第４態様の第４の可能な実装において、第１基地局は、予め定められた計算式を用いてシステムユーティリティを計算し、予め定められた計算式は、
【数６】
2019522439.tif 000013
であり、式中、
【数７】
2019522439.tif 000014
であり、Ｕはシステムユーティリティを表し、
【数８】
2019522439.tif 000015
はシステム内におけるｊ番目のＵＥの伝送レートを表し、Ｂはｊ番目のＵＥにより占有されるＲＢの数を表し、Ｓはｊ番目のＵＥの伝送電力を表し、Ｉはｊ番目のＵＥに対する干渉の強度を表し、Ｎは雑音強度を表す。
【００２４】
第５態様によれば、基地局であって、取得ユニットと制御ユニットとを備え、取得ユニットは、電力制御サイクルが到来した後に第１リソースブロックＲＢセットおよび第２ＲＢセットを取得するよう構成され、第１ＲＢセットは、電力制御サイクル内の各伝送時間間隔ＴＴＩにおける基地局により第１セル内の第１ユーザ機器ＵＥに割り当てられたＲＢセットであり、第２ＲＢセットは、電力制御サイクル内の各ＴＴＩにおける第２基地局により第２セル内の第２ＵＥに割り当てられたＲＢセットであり、制御ユニットは、第１ＲＢセットおよび第２ＲＢセットに基づいて第１ＵＥに対する電力制御を行うよう構成される、基地局が提供される。
【００２５】
第５態様の第１の可能な実装において、制御ユニットは具体的に、第１ＲＢセットおよび第２ＲＢセットに基づいて、電力制御サイクル内の各ＴＴＩに対応する第１システムユーティリティを判定することであって、第１システムユーティリティは、電力制御サイクル内の各ＴＴＩにおける第１ＵＥの伝送電力制御ＴＰＣコマンドが−１、０、１、および３である場合に取得される４つのシステムユーティリティを含む、判定することと、電力制御サイクル内の各ＴＴＩに対応する第１システムユーティリティに基づいて、電力制御サイクル内の各ＴＴＩにおける第１ＵＥの最適ＴＰＣコマンドを判定することであって、電力制御サイクル内の各ＴＴＩにおける第１ＵＥの最適ＴＰＣコマンドは、ＴＴＩに対応する第１システムユーティリティのうちの最大システムユーティリティに対応するＴＰＣコマンドである、判定することと、電力制御サイクル内の各ＴＴＩにおける第１ＵＥの最適ＴＰＣコマンドに基づいて、電力制御サイクルにおける第１ＵＥの最適ＴＰＣコマンドを判定することと、最適ＴＰＣコマンドを第１ＵＥへ送信することであって、それにより第１ＵＥが最適ＴＰＣコマンドに基づいて伝送電力を調整する、送信することとを行うよう構成される。
【００２６】
第５態様の第２の可能な実装例において、制御ユニットは具体的に、電力制御サイクル内のＴＴＩにおける第１ＵＥの最適ＴＰＣコマンドについての統計を収集して最頻出ＴＰＣコマンドを判定し、最頻出ＴＰＣコマンドを電力サイクルにおける第１ＵＥの最適ＴＰＣコマンドとして判定するよう構成される。
【００２７】
第５態様の第３の可能な実装において、制御ユニットは具体的に、電力制御サイクル内のＴＴＩにおける第１ＵＥの最適ＴＰＣコマンドを加算して合計値を取得し、電力制御サイクル内のＴＴＩにおける最適ＴＰＣコマンドのうち、合計値に最も近い第１ＵＥの最適ＴＰＣコマンドを、電力制御サイクルにおける第１ＵＥの最適ＴＰＣコマンドとして判定するよう構成される。
【００２８】
第５態様の第４の可能な実装において、制御ユニットは具体的に、予め定められた計算式を用いてシステムユーティリティを計算するよう構成され、予め定められた計算式は、
【数６】
2019522439.tif 000016
であり、式中、
【数７】
2019522439.tif 000017
であり、Ｕはシステムユーティリティを表し、
【数８】
2019522439.tif 000018
はシステム内におけるｊ番目のＵＥの伝送レートを表し、Ｂはｊ番目のＵＥにより占有されるＲＢの数を表し、Ｓはｊ番目のＵＥの伝送電力を表し、Ｉはｊ番目のＵＥに対する干渉の強度を表し、Ｎは雑音強度を表す。
【００２９】
第６態様によれば、基地局であって、プロセッサと、メモリと、バスと、通信インタフェースとを備え、メモリは、コンピュータ実行可能命令を記憶するよう構成され、プロセッサおよびメモリは、バスを用いて接続され、基地局が動作するとき、プロセッサは、メモリに記憶されたコンピュータ実行可能命令を実行し、それにより基地局が第４態様または第４態様の第１から第４の可能な実装のいずれか一つに係る電力制御方法を行う、基地局が提供される。
【００３０】
本発明の実施形態において提供する電力制御方法および基地局に基づくと、電力制御サイクルが到来した後に、基地局は、電力制御サイクル内の各ＴＴＩにおける基地局により第１セル内の第１ＵＥに割り当てられた第１ＲＢセットおよび電力制御サイクル内の各ＴＴＩにおける第２基地局により第２セル内の第２ＵＥに割り当てられた第２ＲＢセットを取得し、さらに第１ＲＢセットおよび第２ＲＢセットに基づいて第１ＵＥに対する電力制御を行い、具体的にはＵＥの伝送電力を調整し、それによりＵＥの隣接セルに対する干渉を低減する。従って、本発明の実施形態において提供する電力制御方法によれば、セル間干渉をある程度低減することができ、それによりシステム端ユーザのパフォーマンスおよびシステムの平均パフォーマンスが向上する。
【図面の簡単な説明】
【００３１】
本発明の実施形態における、または従来技術における技術的解決手段をより明確に説明すべく、以下、実施形態または従来技術の説明に必要な添付の図面について簡潔に説明する。以下の説明における添付の図面は本発明の一部の実施形態を示すものに過ぎず、当業者であれば、創造的努力なくこれら添付の図面から他の図面を導き出し得ることは明らかである。
【００３２】
【図１】従来技術における周波数リソース割り当ての解決手段の概略図である。
【００３３】
【図２】本発明の一実施形態に係るアプリケーションシナリオの第１概略図である。
【００３４】
【図３】本発明の一実施形態に係るアプリケーションシナリオの第２概略図である。
【００３５】
【図４】本発明の一実施形態に係るアプリケーションシナリオの第３概略図である。
【００３６】
【図５】本発明の一実施形態に係るアプリケーションシナリオの第４概略図である。
【００３７】
【図６】本発明の一実施形態に係るスケジューリング方法の第１概略フローチャートである。
【００３８】
【図７】基本スケジューリング後のリソース割り当ての概略図である。
【００３９】
【図８】本発明の一実施形態に係るスケジューリング方法の第２概略フローチャートである。
【００４０】
【図９】本発明の一実施形態に係る電力制御方法の第１概略フローチャートである。
【００４１】
【図１０】現在の電力制御サイクル内の各ＴＴＩにおける第１ＵＥの最適ＴＰＣコマンドの値の概略図である。
【００４２】
【図１１】本発明の一実施形態に係る電力制御方法の第２概略フローチャートである。
【００４３】
【図１２】本発明の一実施形態に係る基地局の第１概略構造図である。
【００４４】
【図１３】本発明の一実施形態に係る基地局の第２概略構造図である。
【００４５】
【図１４】本発明の一実施形態に係る基地局の第３概略構造図である。
【００４６】
【図１５】本発明の一実施形態に係る基地局の第４概略構造図である。
【発明を実施するための形態】
【００４７】
以下、本発明の実施形態における添付の図面を参照して、本発明の実施形態における技術的解決手段を説明する。説明されている実施形態が、本発明の実施形態の全てではなく一部に過ぎないことは明らかである。以下の説明においては、限定ではなく説明の目的で、より明確な理解を促すべくいくつかの具体的な詳細について説明する。いくつかの実施形態においては、不必要な詳細によって生じる不明瞭な説明を避けるべく、周知の装置、回路、および方法についての詳細な説明を省略する。説明の全体にわたり、同一の参照符号および同一の名称は、同一または同様の要素を指す。
【００４８】
まず、本発明の実施形態における関連するデバイスについて以下で簡潔に説明する。
【００４９】
ユーザ機器（Ｕｓｅｒ  Ｅｑｕｉｐｍｅｎｔ、ＵＥ）は、端末デバイスであり、移動可能な端末デバイスまたは移動不可能な端末デバイスであってよい。このデバイスは主に、サービスデータを受信または送信するよう構成される。ユーザ機器は、ネットワーク内に分散されてよい。異なるネットワークにおけるユーザ機器は、端末、移動局、加入者ユニット、ステーション、セルラー電話、パーソナルデジタルアシスタント、ワイヤレスモデム、ワイヤレス通信デバイス、ハンドヘルドデバイス、ラップトップコンピュータ、コードレス電話機、およびワイヤレスローカルループステーションなどの異なる名称を有する。ユーザ機器は、無線アクセスネットワーク（Ｒａｄｉｏ  Ａｃｃｅｓｓ  Ｎｅｔｗｏｒｋ、ＲＡＮ）（ワイヤレス通信ネットワークのアクセス部分）を用いて１または複数のコアネットワークと通信してよく、例えば、音声および／またはデータを無線アクセスネットワークと交換してよい。
【００５０】
基地局（Ｂａｓｅ  Ｓｔａｔｉｏｎ、ＢＳ）は、無線アクセスネットワーク内に配備される装置であり、ワイヤレス通信機能を提供するよう構成される。例えば、２Ｇネットワークにおける基地局機能を提供するデバイスは、無線基地局（Ｂａｓｅ  Ｔｒａｎｓｃｅｉｖｅｒ  Ｓｔａｔｉｏｎ、ＢＴＳ）および基地局コントローラ（Ｂａｓｅ  Ｓｔａｔｉｏｎ  Ｃｏｎｔｒｏｌｌｅｒ、ＢＳＣ）を含み、３Ｇネットワークにおける基地局機能を提供するデバイスは、ノードＢ（ＮｏｄｅＢ）および無線ネットワークコントローラ（Ｒａｄｉｏ  Ｎｅｔｗｏｒｋ  Ｃｏｎｔｒｏｌｌｅｒ、ＲＮＣ）を含み、４Ｇネットワークにおける基地局機能を提供するデバイスは、進化型ノードＢ（Ｅｖｏｌｖｅｄ  ＮｏｄｅＢ、ｅＮＢ）を含む。
【００５１】
次に、本発明の実施形態の可能なアプリケーションシナリオ図を、図２から図４において個別に示す。これらの図中、基地局１０は第１基地局を表し、基地局２０は第２基地局を表し、セルＡは第１セルを表し、セルＢは第２セルを表し、ＵＥ１は第１ＵＥを表し、ＵＥ２は第２ＵＥを表す。図２に示すアプリケーションシナリオ図において、第１ＵＥは第１セル内に位置し、第２ＵＥは第２セル内に位置し、第１セルが属する第１基地局および第２セルが属する第２基地局は２つの異なる基地局であり、第２基地局は１つ存在する。図３に示すアプリケーションシナリオにおいて、第１ＵＥは第１セル内に位置し、第２ＵＥは第２セル内に位置し、第１セルが属する第１基地局および第２セルが属する第２基地局は同一の基地局である。図４に示すアプリケーションシナリオにおいて、第１ＵＥは第１セル内に位置し、第２ＵＥは第２セル内に位置し、第１セルが属する第１基地局および第２セルが属する第２基地局は２つの異なる基地局であり、第２基地局は１つよりも多くの数存在する。
【００５２】
図２から図４に示すアプリケーションシナリオ図において、第１基地局１０は、第１ＵＥのスケジューリング情報および第２ＵＥのスケジューリング情報を取得し、取得したスケジューリング情報に基づいて第１ＵＥのスケジューリング情報を調整することで、隣接セルのユーザにより使用される時間周波数リソースに関するコンフリクトを可能な限り回避する。あるいは、第１基地局１０は、隣接セルのユーザ間の干渉を最小化するよう、取得したスケジューリング情報に基づいて第１ＵＥの伝送電力を制御する。このようにすることで、セル間干渉を抑制し、システム端ユーザのパフォーマンスおよびシステムの平均パフォーマンスを向上させるという目的が実現される。具体的なスケジューリングプロセスについては、本発明の実施形態において図６で説明するスケジューリング方法を参照されたい。電力制御プロセスについては、本発明の実施形態において図９で説明する電力制御方法を参照されたい。
【００５３】
図２から図４に示す３つの可能なアプリケーションシナリオに加え、本発明の実施形態はさらに、図５に示すような第４の可能なアプリケーションシナリオ図を提供する。図５を図２と比較すると、図５と図２との間の顕著な差異は、図５に示すアプリケーションシナリオ図に集中制御装置３０が追加されていることである。集中制御装置３０は、別個のネットワーク要素として構成されてよく、またはコアネットワーク側のネットワーク要素内で構成されてもよい。例えば、ＬＴＥシステムにおいて、集中制御装置３０は具体的に、モビリティ管理エンティティ（Ｍｏｂｉｌｉｔｙ  Ｍａｎａｇｅｍｅｎｔ  Ｅｎｔｉｔｙ、ＭＭＥ）またはサービングゲートウェイ（Ｓｅｒｖｉｎｇ  Ｇａｔｅｗａｙ、ＳＧＷ）内で構成されてよい。これは、本発明の実施形態において具体的に限定されるものではない。図５に示すアプリケーションシナリオにおいて、集中制御装置３０は、第１基地局１０に置き換わって第１ＵＥに対するスケジューリングまたは電力制御を行う。詳細については、本発明の実施形態の図８および図１１で説明する方法を参照されたい。
【００５４】
図２から図４に示すアプリケーションシナリオに基づいて、本発明の一実施形態は、スケジューリング方法を提供する。図６に示すように、当該方法は以下の段階を備える。
【００５５】
Ｓ６０１。第１基地局が、第１リソースブロック（Ｒｅｓｏｕｒｃｅ  Ｂｌｏｃｋ、ＲＢ）セットおよび第２ＲＢセットを取得する。
【００５６】
第１ＲＢセットは、第１基地局により第１セル内の第１ＵＥに割り当てられたＲＢセットであり、第２ＲＢセットは、第２基地局により第２セル内の第２ＵＥに割り当てられたＲＢセットである。
【００５７】
具体的には、第１ＵＥの基本スケジューリングが完了した後に、第１基地局が、本発明の本実施形態において提供するスケジューリング方法をトリガする。基本スケジューリングは、基地局が、ＵＥにより送信されたアップリンクスケジューリング要求、ＵＥのバッファステータスレポート、およびアップリンクチャネル状態に基づいて、スケジューリング要求を始めたＵＥに無線リソースを割り当てるか否か、および割り当てるべき無線リソースの数を判定するプロセスを指す。
【００５８】
第１基地局および第２基地局が２つの異なる基地局であるとき、具体的には図２および図４に示すアプリケーションシナリオにおいて、第１基地局は、Ｘ２インタフェースを介して第１基地局と通信することで第２ＲＢセットを取得してよいことに留意されたい。第１基地局および第２基地局が同一の基地局であるとき、具体的には図３に示すアプリケーションシナリオにおいて、第１基地局は、直接的に第２ＲＢセットを取得してよい。
【００５９】
Ｓ６０２。第１ＲＢセットおよび第２ＲＢセットが共通のＲＢを有すると判定した後に、第１基地局が、第１セルから第２セルへの干渉を低減するよう第１ＲＢセットを調整する。
【００６０】
第１基地局が第１セルから第２セルへの干渉を低減するよう第１ＲＢセットを調整するプロセスは具体的に、
第１基地局が、第１ＲＢが予め定められた条件を満たすか否かを判定し、第１ＲＢが予め定められた条件を満たす場合に第１ＲＢを第１ＲＢセットから削除し、第１ＲＢに続くＲＢを新たな第１ＲＢとして用いて、予め定められた条件を満たさない第１ＲＢが初めて見つかるまで判定を行う段階と、
第１基地局が、第２ＲＢが予め定められた条件を満たすか否かを判定し、第２ＲＢが予め定められた条件を満たす場合に第２ＲＢを第１ＲＢセットから削除し、第２ＲＢの前のＲＢを新たな第２ＲＢとして用いて、予め定められた条件を満たさない第２ＲＢが初めて見つかるまで判定を行う段階と
を含んでよい。
【００６１】
第１ＲＢは、第１ＲＢセットにおける最初のＲＢであり、第２ＲＢは、第１ＲＢセットにおける最後のＲＢであり、予め定められた条件は、第１システムユーティリティが第２システムユーティリティよりも大きいことであり、第１システムユーティリティは、第１ＵＥの第１／第２ＲＢ上におけるスケジューリングがキャンセルされたときに用いられるシステムユーティリティであり、第２システムユーティリティは、第１ＵＥの第１／第２ＲＢ上におけるスケジューリングが留保されたときに用いられるシステムユーティリティである。第１ＵＥのＲＢ上におけるスケジューリングがキャンセルされたときには、隣接セル内の第２ＵＥに対する干渉の強度が減少し、第２ＵＥの当該ＲＢ上におけるユーティリティが増大することは容易に理解される。第１ＵＥの当該ＲＢ上におけるスケジューリングがキャンセルされるため、第１ＵＥの当該ＲＢ上におけるユーティリティは０である。従って、第１ＵＥのＲＢ上におけるスケジューリングがキャンセルされたとき、システムユーティリティは増大または減少してよい。換言すると、第１システムユーティリティは、第２システムユーティリティよりも大きくてよく、または第２システムユーティリティよりも小さくてもよい。
【００６２】
システムユーティリティは具体的に、式（１）に示す計算式を用いて計算されてよい。
【数１】
2019522439.tif 000019
・・・式（１）
【００６３】
式中、
【数２】
2019522439.tif 000020
であり、
【数３】
2019522439.tif 000021
はシステムユーティリティを表し、
【数４】
2019522439.tif 000022
はシステム内におけるリソースブロックＲＢｉを共有するｎ個のＵＥのうちのｊ番目の第２ＵＥの伝送レートを表し、
【数５】
2019522439.tif 000023
はｊ番目の第２ＵＥから第１基地局へのアップリンク伝送チャネルの信号対干渉雑音比を表し、ｎおよびｊは正の整数である。
【００６４】
さらに、信号対干渉雑音比
【数５】
2019522439.tif 000024
について、具体的には以下の２つの任意選択的な計算方式があってよい。
【００６５】
１つの任意選択的な実装においては、第２セルの測定情報が、第１ＵＥのスケジューリングがキャンセルされたときの第２ＵＥに対する干渉の強度に変換され、式（２）を用いて、第１ＵＥのスケジューリングがキャンセルされたときの
【数５】
2019522439.tif 000025
を計算する。
【数９】
2019522439.tif 000026
・・・式（２）
【００６６】
式中、Ｓは所望の信号の伝送電力を表し、Ｉは干渉強度を表し、Ｎは雑音強度を表す。
【００６７】
別の任意選択的な実装においては、第２基地局により測定される参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）が対応する補正係数に変換され、当該補正係数を用いて、第１基地局により測定された
【数５】
2019522439.tif 000027
を補正し、第１ＵＥのスケジューリングがキャンセルされたときに用いられる
【数５】
2019522439.tif 000028
を取得する。
【００６８】
当然のことながら、上記の説明は、本発明の本実施形態で挙げるＳＩＮＲを計算するための２つの一般的な方法に過ぎない。当業者であれば、ＳＩＮＲを計算するための他の方法があることを理解されよう。これは、本発明の本実施形態において具体的に限定されるものではない。
【００６９】
例えば、以下、具体例を参照して、第１基地局が第１ＲＢセットを調整するプロセスを詳細に説明する。
【００７０】
図７に示す基本スケジューリング結果を参照すると、第１基地局により第１セル内の第１ＵＥ（ＵＥ１）に割り当てられた第１ＲＢセットがＲＢ３からＲＢ１０を含み、第２基地局により第２セル内の第２ＵＥ（ＵＥ２）に割り当てられた第２ＲＢセットがＲＢ８からＲＢ１３を含む場合、第１基地局が第１ＲＢセットを調整するプロセスは以下の通りである。第１基地局が、ＲＢ３が予め定められた条件を満たすか否か、具体的にはＵＥ１のＲＢ３上におけるスケジューリングがキャンセルされた場合にシステムユーティリティが増大するか否かを判定する。ＲＢ３が予め定められた条件を満たす場合、第１基地局は、ＲＢ３を第１ＲＢセットから削除し、ＲＢ４が予め定められた条件を満たすか否かを引き続き判定する。ＲＢ４が予め定められた条件を満たす場合、第１基地局はやはり、ＲＢ４を第１ＲＢセットから削除し、予め定められた条件を満たさないＲＢが初めて見つかるまで次のＲＢを引き続き判定する。加えて、第１基地局は、ＲＢ１３が予め定められた条件を満たすか否か、具体的にはＵＥ１のＲＢ１３上におけるスケジューリングがキャンセルされた場合にシステムユーティリティが増大するか否かを判定する。ＲＢ１３が予め定められた条件を満たす場合、第１基地局は、ＲＢ１３を第１ＲＢセットから削除し、ＲＢ１２が予め定められた条件を満たすか否かを引き続き判定する。ＲＢ１２が予め定められた条件を満たす場合、第１基地局はやはり、ＲＢ１２を第１ＲＢセットから削除し、あるいはＲＢ１２が予め定められた条件を満たさない場合、第１基地局は、予め定められた条件を満たさないＲＢが初めて見つかるまで次のＲＢを引き続き判定する。
【００７１】
Ｓ６０３。第１基地局が、調整済み第１ＲＢセットに基づいて第１ＵＥをスケジューリングする。
【００７２】
上記の解決手段に基づくと、第１基地局は、第１基地局により第１セル内の第１ＵＥに割り当てられた第１ＲＢセットおよび第２基地局により第２セル内の第２ＵＥに割り当てられた第２ＲＢセットを取得し、第１ＲＢセットおよび第２ＲＢセットが共通のＲＢを有すると判定した後に第１ＲＢセットを調整する。第１基地局は具体的に、第１ＲＢセットおよび第２ＲＢセットに基づいて、どの共有リソースが第１セル内の第１ＵＥと第２セル内の第２ＵＥとの間のセル間干渉を生じさせるかを認識してよく、それに応じて第１ＲＢセットを調整することで、第１セル内の第１ＵＥおよび第２セル内の第２ＵＥを可能な限り異なる周波数帯域にスケジューリングし、それにより、セル間干渉が効果的に抑制され、システム端ユーザのパフォーマンスおよびシステムの平均パフォーマンスが向上する。
【００７３】
好ましくは、本発明の本実施形態において提供するスケジューリング方法において、第１基地局が第１／第２ＲＢを第１ＲＢセットから削除する場合、当該方法はさらに、
第３システムユーティリティが第１システムユーティリティよりも大きいと判定した後に、第１基地局が、スケジューリング要件を有するが現在の伝送時間間隔（Ｔｒａｎｓｍｉｓｓｉｏｎ  Ｔｉｍｅ  Ｉｎｔｅｒｖａｌ、ＴＴＩ）においてスケジューリングされていない第３ＵＥに第１／第２ＲＢを割り当てる段階
を備えてよい。
【００７４】
第３システムユーティリティは、第３ＵＥの第１／第２ＲＢ上におけるスケジューリングが追加されたときに用いられるシステムユーティリティである。
【００７５】
第１基地局が第１ＵＥに対してリソース調整を行うプロセスにおいて、第１ＵＥのいくつかのＲＢ上におけるスケジューリングがキャンセルされた場合、それらのＲＢは、スケジューリング要件を有するがスケジューリングされていないＵＥに割り当てられてよい。換言すると、余剰リソースが発生すると、新たなユーザが余剰リソース上にスケジューリングされ、それによりリソースが十分に利用されてシステムパフォーマンスが向上する。
【００７６】
図５に示すアプリケーションシナリオに基づいて、本発明の一実施形態はさらに、スケジューリング方法を提供する。図８に示すように、当該方法は以下の段階を備える。
【００７７】
Ｓ８０１。集中制御装置が、第１ＲＢセットおよび第２ＲＢセットを取得する。
【００７８】
第１ＲＢセットは、第１基地局により第１セル内の第１ユーザ機器ＵＥに割り当てられたＲＢセットであり、第２ＲＢセットは、第２基地局により第２セル内の第２ＵＥに割り当てられたＲＢセットである。
【００７９】
集中制御装置は、別個のネットワーク要素として構成されてよく、またはコアネットワーク側のネットワークデバイス上で、例えばＭＭＥまたはＳＧＷ上で構成されてもよい。集中制御装置が別個のネットワーク要素として構成されるときは、専用のインタフェースが集中制御装置および基地局のために構成され、それにより集中制御装置が基地局によりＵＥに割り当てられたＲＢセットを取得する。集中制御装置がコアネットワーク側のネットワークデバイス上で構成されるときは、基地局によりＵＥに割り当てられたＲＢセットが、ネットワークデバイスと基地局との間の対応する通信インタフェースを介して取得される。例えば、集中制御装置がＭＭＥ上で構成されるときは、基地局によりＵＥに割り当てられたＲＢセットが、ＭＭＥと基地局との間のＳ１−ＭＭＥインタフェースを介して取得されてよい。
【００８０】
Ｓ８０２。第１ＲＢセットおよび第２ＲＢセットが共通のＲＢを有すると判定した後に、集中制御装置が、第１セルから第２セルへの干渉を低減するよう第１ＲＢセットを調整する。
【００８１】
集中制御装置が第１ＲＢセットを調整するための方法は、上記の実施形態における第１基地局が第１ＲＢセットを調整するための方法と同一である。詳細については、上記の関連する説明を参照されたい。ここでは改めて詳細を説明しない。
【００８２】
Ｓ８０３。集中制御装置が、調整済み第１ＲＢセットを第１基地局へ送信し、それにより第１基地局が調整済み第１ＲＢセットに基づいて第１ＵＥをスケジューリングする。
【００８３】
上記の解決手段は、図６において説明するスケジューリング方法と同様であるため、上記の解決手段によって得られる有利な効果は、図６において説明するスケジューリング方法を用いて得られる有利な効果と同一である。本発明の本実施形態においては改めて詳細を説明しない。
【００８４】
当業者であれば、本発明の上記の実施形態において提供するスケジューリング方法が、アップリンクスケジューリングおよびダウンリンクスケジューリングの両方に適用可能であることを理解されよう。これは、本発明の実施形態において具体的に限定されるものではない。
【００８５】
従来技術においては、ＵＥの伝送電力がサービス品質（Ｑｕａｌｉｔｙ  ｏｆ  Ｓｅｒｖｉｃｅ、ＱｏＳ）要件を満たすことのみでなく端末バッテリの電力を節約することも可能であることを確実にするべく、基地局がアップリンクの特徴、例えば伝搬損失特徴、シャドー特徴、および高速フェージング特徴に基づいてＵＥの伝送電力を調整する場合がある。このプロセスは、電力制御と称される。現在、既存の電力制御の解決手段においては、隣接セルの状況を考慮することなく、各セルがそのセルの状況のみに基づいてセル内のＵＥの伝送電力を調整している。その結果、セル内のＵＥの伝送電力が比較的高い値に調整される場合がある。これにより、隣接セル内のＵＥに対して重大な干渉が生じる。これに鑑みて、本発明の実施形態はさらに、セル間干渉をある程度低減し、システム端ユーザのパフォーマンスおよびシステムの平均パフォーマンスを向上させるべく、電力制御方法を提供する。  以下、本発明の実施形態における添付の図面を参照して、本発明の実施形態において提供する電力制御方法を説明する。
【００８６】
図２から図４に示すアプリケーションシナリオに基づいて、本発明の一実施形態は、電力制御方法を提供する。図９に示すように、当該方法は以下の段階を備える。
【００８７】
Ｓ９０１。第１基地局が、電力制御サイクルが到来した後に第１ＲＢセットおよび第２ＲＢセットを取得する。
【００８８】
第１ＲＢセットは、電力制御サイクル内の各ＴＴＩにおける第１基地局により第１セル内の第１ＵＥに割り当てられたＲＢセットであり、第２ＲＢセットは、電力制御サイクル内の各ＴＴＩにおける第２基地局により第２セル内の第２ＵＥに割り当てられたＲＢセットである。
【００８９】
Ｓ９０２。第１基地局が、第１ＲＢセットおよび第２ＲＢセットに基づいて第１ＵＥに対する電力制御を行う。
【００９０】
本発明の本実施形態の任意選択的な実装において、段階Ｓ９０２は具体的に、段階９０２ａ１から段階Ｓ９０２ａ４を含んでよい。
【００９１】
Ｓ９０２ａ１。第１基地局が、第１ＲＢセットおよび第２ＲＢセットに基づいて、電力制御サイクル内の各ＴＴＩに対応する第１システムユーティリティを判定する。
【００９２】
第１システムユーティリティは、電力制御サイクル内の各ＴＴＩにおける第１ＵＥの伝送電力制御（Ｔｒａｎｓｍｉｔ  Ｐｏｗｅｒ  Ｃｏｎｔｒｏｌ、ＴＰＣ）コマンドが−１、０、１、および３である場合に取得される４つのシステムユーティリティを含む。
【００９３】
換言すると、現在の電力制御サイクル内の各ＴＴＩについて、第１ＵＥのＴＰＣコマンドが−１、０、１、および３である場合、対応するシステムユーティリティが計算される。
【００９４】
具体的には、式（３）および式（４）を用いてシステムユーティリティが計算されてよい。
【数６】
2019522439.tif 000029
・・・式（３）
【数７】
2019522439.tif 000030
・・・式（４）
【００９５】
式中、Ｕはシステムユーティリティを表し、
【数８】
2019522439.tif 000031
はシステム内におけるｊ番目のＵＥの平均レートを表し、Ｂはｊ番目のＵＥにより占有されるＲＢの数を表し、Ｓはｊ番目のＵＥの伝送電力を表し、Ｉはｊ番目のＵＥに対する干渉の強度を表し、Ｎは雑音強度を表す。
【００９６】
式（４）中、ＵＥの伝送電力Ｓは具体的に、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）技術規格３６．２１３における関連する式に従って計算されてよい。ＰＵＳＣＨチャネルを一例として用い、ＵＥの伝送電力は具体的に、式（５）を用いて計算されてよい。
【数１０】
2019522439.tif 000032
・・・式（５）
【００９７】
式中、
【数１１】
2019522439.tif 000033
はサブフレームｉにおけるＵＥの伝送電力を表し、
【数１２】
2019522439.tif 000034
はＵＥの最大伝送電力を表し、
【数１３】
2019522439.tif 000035
は、ＵＥによりサブフレームｉにおいてＰＵＳＣＨ上に割り当てられるＲＢの数を表し、またはＰＵＳＣＨ上におけるＲＢ帯域幅を表し、
【数１４】
2019522439.tif 000036
はＰＵＳＣＨの予期される電力を表し、
【数１５】
2019522439.tif 000037
は伝搬損失の補償加重値を表し、ＰＬはＵＥにより計算されるダウンリンク伝搬損失を表し、
【数１６】
2019522439.tif 000038
は動的電力制御累積量を表し、
【数１７】
2019522439.tif 000039
であり、ここで
【数１８】
2019522439.tif 000040
は電力制御コマンドの値を表し、
【数１８】
2019522439.tif 000041
は−１、０、１、または３である。
【００９８】
Ｓ９０２ａ２。第１基地局が、電力制御サイクル内の各ＴＴＩに対応する第１システムユーティリティに基づいて、電力制御サイクル内の各ＴＴＩにおける第１ＵＥの最適ＴＰＣコマンドを判定する。
【００９９】
電力制御サイクル内の各ＴＴＩにおける第１ＵＥの最適ＴＰＣコマンドは、そのＴＴＩに対応する第１システムユーティリティのうちの最大システムユーティリティに対応するＴＰＣコマンドである。
【０１００】
例えば、現在の電力制御サイクル内のあるＴＴＩにおいて、第１ＵＥのＴＰＣコマンドが−１であるとき、対応する第１システムユーティリティはＵ−１＝２３であり、第１ＵＥのＴＰＣコマンドが０であるとき、対応する第１システムユーティリティはＵ０＝６であり、第１ＵＥのＴＰＣコマンドが１であるとき、対応する第１システムユーティリティはＵ１＝１２であり、第１ＵＥのＴＰＣコマンドが３であるとき、対応する第１システムユーティリティはＵ１＝５であると仮定する。最大システムユーティリティはＵ−１＝２３であり、従って、そのＴＴＩにおける第１ＵＥの最適ＴＰＣコマンドは−１であると判定される。
【０１０１】
Ｓ９０２ａ３。第１基地局が、電力制御サイクル内の各ＴＴＩにおける第１ＵＥの最適ＴＰＣコマンドに基づいて、電力制御サイクルにおける第１ＵＥの最適ＴＰＣコマンドを判定する。
【０１０２】
具体的には、電力制御サイクルにおける第１ＵＥの最適ＴＰＣコマンドを判定するための以下の２つの任意選択的な方法がある。
【０１０３】
第１の方法においては、電力制御サイクル内のＴＴＩにおける第１ＵＥの最適ＴＰＣコマンドについての統計を収集して最頻出ＴＰＣコマンドを判定し、最頻出ＴＰＣコマンドを電力サイクルにおける第１ＵＥの最適ＴＰＣコマンドとして判定する。
【０１０４】
例えば、１つの電力制御サイクルが１０のＴＴＩを含み、現在の電力制御サイクル内の各ＴＴＩにおける第１ＵＥの最適ＴＰＣコマンドが図１０に示すものである、具体的にはＴＴＩ０、ＴＴＩ１１、ＴＴＩ２等を含む１０のＴＴＩにおける第１ＵＥの最適ＴＰＣコマンドがそれぞれ１、１、３、１、−１、−１、−１、０、−１、−１であると仮定する。この場合、ＴＰＣコマンド値−１が最も頻繁に出現することが統計により判定されてよい。従って、現在の電力制御サイクルにおける第１ＵＥの最適ＴＰＣコマンドは１であると判定される。
【０１０５】
第２の方法においては、電力制御サイクル内のＴＴＩにおける第１ＵＥの最適ＴＰＣコマンドを加算して合計値を取得し、電力制御サイクル内のＴＴＩにおける最適ＴＰＣコマンドのうち、合計値に最も近い第１ＵＥの最適ＴＰＣコマンドを、電力制御サイクルにおける第１ＵＥの最適ＴＰＣコマンドとして判定する。
【０１０６】
引き続き図９を説明のための一例として用いる。図９に示す１０のＴＴＩにおけるＵＥの最適ＴＰＣコマンドの値に基づくと、これらのＴＴＩにおけるＵＥの最適ＴＰＣコマンドの合計値は１である。ＴＰＣコマンドの任意選択的な値が−１、０、１、または３である場合、１が合計値１に最も近く、従って、現在の電力制御サイクルにおけるＵＥの最適ＴＰＣコマンドは１である。
【０１０７】
Ｓ９０２ａ４。第１基地局が、最適ＴＰＣコマンドを第１ＵＥへ送信し、それにより第１ＵＥが最適ＴＰＣコマンドに基づいて伝送電力を調整する。
【０１０８】
本発明の本実施形態において提供する電力制御方法は、アップリンク電力制御に属するものであり、電力制御の具体的な内容は、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）上におけるＵＥの伝送電力およびＳＲＳを送信するＵＥの伝送電力を制御することを含んでよいことに留意されたい。これは、本発明の本実施形態において具体的に限定されるものではない。
【０１０９】
上記の解決手段に基づくと、電力制御サイクルが到来した後に、第１基地局は、電力制御サイクル内の各ＴＴＩにおける第１基地局により第１セル内の第１ＵＥに割り当てられた第１ＲＢセットおよび電力制御サイクル内の各ＴＴＩにおける第２基地局により第２セル内の第２ＵＥに割り当てられた第２ＲＢセットを取得し、さらに第１ＲＢセットおよび第２ＲＢセットに基づいて第１ＵＥに対する電力制御を行い、具体的にはＵＥの伝送電力を調整し、それによりＵＥの隣接セルに対する干渉を低減する。従って、本発明の本実施形態において提供する電力制御方法によれば、セル間干渉をある程度低減することができ、それによりシステム端ユーザのパフォーマンスおよびシステムの平均パフォーマンスが向上する。
【０１１０】
図５に示すアプリケーションシナリオに基づいて、本発明の一実施形態はさらに、電力制御方法を提供する。図１１に示すように、当該方法は以下の段階を備える。
【０１１１】
Ｓ１１０１。集中制御装置が、電力制御サイクルが到来した後に第１ＲＢセットおよび第２ＲＢセットを取得する。
【０１１２】
第１ＲＢセットは、電力制御サイクル内の各ＴＴＩにおける第１基地局により第１セル内の第１ＵＥに割り当てられたＲＢセットであり、第２ＲＢセットは、電力制御サイクル内の各ＴＴＩにおける第２基地局により第２セル内の第２ＵＥに割り当てられたＲＢセットである。
【０１１３】
加えて、集中制御装置の構成については、上記の実施形態における段階Ｓ８０１の関連する説明を参照されたい。
【０１１４】
Ｓ１１０２。集中制御装置が、第１ＲＢセットおよび第２ＲＢセットに基づいて第１ＵＥに対する電力制御を行う。
【０１１５】
集中制御装置が第１ＲＢセットおよび第２ＲＢセットに基づいて第１ＵＥに対する電力制御を行う具体的なプロセスについては、上記の実施形態における段階Ｓ９０２の関連する説明を参照されたい。これらのプロセスの間の差異は、本発明の本実施形態において、第１ＵＥに対応するＴＰＣコマンドを判定した後に、集中制御装置が第１基地局を用いてＴＰＣコマンドを第１ＵＥへ送達する必要があることである。
【０１１６】
上記の解決手段は、図９において説明する電力制御方法と同様であるため、上記の解決手段によって得られる有利な効果は、図９において説明するスケジューリング方法を用いて得られる有利な効果と同一である。本発明の本実施形態においては改めて詳細を説明しない。
【０１１７】
本発明の一実施形態はさらに、基地局を提供する。図１２に示すように、基地局１２０は、取得ユニット１２０１と、調整ユニット１２０２と、スケジューリングユニット１２０３とを備える。
【０１１８】
取得ユニット１２０１は、第１ＲＢセットおよび第２ＲＢセットを取得するよう構成される。
【０１１９】
調整ユニット１２０２は、第１ＲＢセットおよび第２ＲＢセットが共通のＲＢを有すると判定した後に、第１セルから第２セルへの干渉を低減するよう第１ＲＢセットを調整するよう構成される。
【０１２０】
スケジューリングユニット１２０３は、調整済み第１ＲＢセットに基づいて第１ＵＥをスケジューリングするよう構成される。
【０１２１】
第１ＲＢセットは、基地局１２０により第１セル内の第１ＵＥに割り当てられたＲＢセットであり、第２ＲＢセットは、第２基地局１２０により第２セル内の第２ＵＥに割り当てられたＲＢセットである。
【０１２２】
任意選択的な実装において、本発明の本実施形態において提供する基地局１２０において、調整ユニット１２０２は具体的に、
第１ＲＢが予め定められた条件を満たすか否かを判定し、第１ＲＢが予め定められた条件を満たす場合に第１ＲＢを第１ＲＢセットから削除し、第１ＲＢに続くＲＢを新たな第１ＲＢとして用いて、予め定められた条件を満たさない第１ＲＢが初めて見つかるまで判定を行うことと、
第２ＲＢが予め定められた条件を満たすか否かを判定し、第２ＲＢが予め定められた条件を満たす場合に第２ＲＢを第１ＲＢセットから削除し、第２ＲＢの前のＲＢを新たな第２ＲＢとして用いて、予め定められた条件を満たさない第２ＲＢが初めて見つかるまで判定を行うことと
を行うよう構成されてよい。
【０１２３】
第１ＲＢは、第１ＲＢセットにおける最初のＲＢであり、第２ＲＢは、第１ＲＢセットにおける最後のＲＢであり、予め定められた条件は、第１システムユーティリティが第２システムユーティリティよりも大きいことであり、第１システムユーティリティは、第１ＵＥの第１／第２ＲＢ上におけるスケジューリングがキャンセルされたときに用いられるシステムユーティリティであり、第２システムユーティリティは、第１ＵＥの第１／第２ＲＢ上におけるスケジューリングが留保されたときに用いられるシステムユーティリティである。
【０１２４】
任意選択的に、本発明の本実施形態において提供する基地局１２０において、調整ユニット１２０２は具体的に、予め定められた計算式を用いてシステムユーティリティを計算するよう構成されてよい。
【０１２５】
予め定められた計算式は、
【数１】
2019522439.tif 000042
であり、式中、
【数２】
2019522439.tif 000043
であり、
【数３】
2019522439.tif 000044
はシステムユーティリティを表し、
【数４】
2019522439.tif 000045
はシステム内におけるＲＢｉを共有するｎ個のＵＥのうちのｊ番目の第２ＵＥの伝送レートを表し、
【数５】
2019522439.tif 000046
はｊ番目の第２ＵＥから基地局１２０へのアップリンク伝送チャネルの信号対干渉雑音比を表し、ｎおよびｊは正の整数である。
【０１２６】
任意選択的に、本発明の本実施形態において提供する基地局１２０において、調整ユニット１２０２はさらに、
第１／第２ＲＢが第１ＲＢセットから削除される場合、第３システムユーティリティが第１システムユーティリティよりも大きいと判定した後に、スケジューリング要件を有するが現在のＴＴＩにおいてスケジューリングされていない第３ＵＥに第１／第２ＲＢを割り当てる
よう構成されてよい。
【０１２７】
第３システムユーティリティは、第３ＵＥの第１／第２ＲＢ上におけるスケジューリングが追加されたときに用いられるシステムユーティリティである。
【０１２８】
具体的に、本発明の本実施形態において提供する基地局により行われるスケジューリング方法については、上記の方法の実施形態を参照されたい。本発明の本実施形態においては詳細を改めて説明しない。
【０１２９】
本発明の本実施形態において提供する基地局に基づくと、基地局は、基地局により第１セル内の第１ＵＥに割り当てられた第１ＲＢセットおよび第２基地局により第２セル内の第２ＵＥに割り当てられた第２ＲＢセットを取得し、第１ＲＢセットおよび第２ＲＢセットが共通のＲＢを有すると判定した後に第１ＲＢセットを調整する。基地局は具体的に、第１ＲＢセットおよび第２ＲＢセットに基づいて、どの共有リソースが第１セル内の第１ＵＥと第２セル内の第２ＵＥとの間のセル間干渉を生じさせるかを認識してよく、それに応じて第１ＲＢセットを調整することで、第１セル内の第１ＵＥおよび第２セル内の第２ＵＥを可能な限り異なる周波数帯域にスケジューリングし、それにより、セル間干渉が効果的に抑制され、システム端ユーザのパフォーマンスおよびシステムの平均パフォーマンスが向上する。
【０１３０】
本発明の一実施形態はさらに、基地局を提供し、図１３に示すように、基地局は、取得ユニット１３０１と制御ユニット１３０２とを含む。
【０１３１】
取得ユニット１３０１は、電力制御サイクルが到来した後に第１ＲＢセットおよび第２ＲＢセットを取得するよう構成される。
【０１３２】
制御ユニット１３０２は、第１ＲＢセットおよび第２ＲＢセットに基づいて第１ＵＥに対する電力制御を行うよう構成される。
【０１３３】
第１ＲＢセットは、電力制御サイクル内の各ＴＴＩにおける基地局１３０により第１セル内の第１ＵＥに割り当てられたＲＢセットであり、第２ＲＢセットは、電力制御サイクル内の各ＴＴＩにおける第２基地局１３０により第２セル内の第２ＵＥに割り当てられたＲＢセットである。
【０１３４】
任意選択的な実装において、本発明の本実施形態において提供する基地局１３０において、制御ユニット１３０２は具体的に、
第１ＲＢセットおよび第２ＲＢセットに基づいて、電力制御サイクル内の各ＴＴＩに対応する第１システムユーティリティを判定することと、
電力制御サイクル内の各ＴＴＩに対応する第１システムユーティリティに基づいて、電力制御サイクル内の各ＴＴＩにおける第１ＵＥの最適ＴＰＣコマンドを判定することであって、電力制御サイクル内の各ＴＴＩにおける第１ＵＥの最適ＴＰＣコマンドは、そのＴＴＩに対応する第１システムユーティリティのうちの最大システムユーティリティに対応するＴＰＣコマンドである、判定することと、
電力制御サイクル内の各ＴＴＩにおける第１ＵＥの最適ＴＰＣコマンドに基づいて、電力制御サイクルにおける第１ＵＥの最適ＴＰＣコマンドを判定することと、
最適ＴＰＣコマンドを第１ＵＥへ送信することであって、それにより第１ＵＥが最適ＴＰＣコマンドに基づいて伝送電力を調整する、送信することと
を行うよう構成されてよい。
【０１３５】
第１システムユーティリティは、電力制御サイクル内の各ＴＴＩにおける第１ＵＥの伝送電力制御ＴＰＣコマンドが−１、０、１、および３である場合に取得される４つのシステムユーティリティを含む。
【０１３６】
本発明の本実施形態の任意選択的な実装において、制御ユニット１３０２は具体的に、
電力制御サイクル内のＴＴＩにおける第１ＵＥの最適ＴＰＣコマンドについての統計を収集して最頻出ＴＰＣコマンドを判定し、最頻出ＴＰＣコマンドを電力サイクルにおける第１ＵＥの最適ＴＰＣコマンドとして判定する
よう構成されてよい。
【０１３７】
本発明の本実施形態の別の任意選択的な実装において、制御ユニット１３０２は具体的に、
電力制御サイクル内のＴＴＩにおける第１ＵＥの最適ＴＰＣコマンドを加算して合計値を取得し、電力制御サイクル内のＴＴＩにおける最適ＴＰＣコマンドのうち、合計値に最も近い第１ＵＥの最適ＴＰＣコマンドを、電力制御サイクルにおける第１ＵＥの最適ＴＰＣコマンドとして判定する
よう構成されてよい。
【０１３８】
任意選択的に、本発明の本実施形態において提供する基地局１３０において、制御ユニット１３０２は具体的に、予め定められた計算式を用いてシステムユーティリティを計算するよう構成されてよい。
【０１３９】
予め定められた計算式は、
【数６】
2019522439.tif 000047
であり、式中、
【数７】
2019522439.tif 000048
であり、Ｕはシステムユーティリティを表し、
【数８】
2019522439.tif 000049
はシステム内におけるｊ番目のＵＥの伝送レートを表し、Ｂはｊ番目のＵＥにより占有されるＲＢの数を表し、Ｓはｊ番目のＵＥの伝送電力を表し、Ｉはｊ番目のＵＥに対する干渉の強度を表し、Ｎは雑音強度を表す。
【０１４０】
具体的に、本発明の本実施形態において提供する基地局により行われる電力制御方法については、上記の方法の実施形態を参照されたい。本発明の本実施形態においては詳細を改めて説明しない。
【０１４１】
本発明の本実施形態において提供する基地局に基づくと、電力制御サイクルが到来した後に、基地局は、電力制御サイクル内の各ＴＴＩにおける基地局により第１セル内の第１ＵＥに割り当てられた第１ＲＢセットおよび電力制御サイクル内の各ＴＴＩにおける第２基地局により第２セル内の第２ＵＥに割り当てられた第２ＲＢセットを取得し、さらに第１ＲＢセットおよび第２ＲＢセットに基づいて第１ＵＥに対する電力制御を行い、具体的にはＵＥの伝送電力を調整し、それによりＵＥの隣接セルに対する干渉を低減する。従って、本発明の本実施形態において提供する電力制御方法によれば、セル間干渉をある程度低減することができ、それによりシステム端ユーザのパフォーマンスおよびシステムの平均パフォーマンスが向上する。
【０１４２】
本発明の一実施形態はさらに、基地局を提供する。図１４に示すように、基地局は、プロセッサ１４０１と、メモリ１４０３と、バス１４０２と、通信インタフェース１４０４とを備える。
【０１４３】
プロセッサ１４０１、メモリ１４０３、および通信インタフェース１４０４は、バス１４０２を用いて互いに接続されて通信する。
【０１４４】
プロセッサ１４０１は、本発明の本実施形態を実装するよう構成されるシングルコアもしくはマルチコアの中央処理ユニット、または特定用途向け集積回路、または１もしくは複数の集積回路であってよい。
【０１４５】
メモリ１４０３は、高速ランダムアクセスメモリ（Ｒａｎｄｏｍ  Ａｃｃｅｓｓ  Ｍｅｍｏｒｙ、ＲＡＭ）１４０３であってよく、または不揮発性メモリ（ｎｏｎ−ｖｏｌａｔｉｌｅ  ｍｅｍｏｒｙ）１４０３、例えば少なくとも１つの磁気ディスクストレージ１４０３であってもよい。
【０１４６】
メモリ１４０３は、コンピュータ実行可能命令１４０３１を記憶するよう構成される。具体的には、コンピュータ実行可能命令１４０３１は、プログラムコードを含んでよい。
【０１４７】
基地局が動作するとき、プロセッサは、メモリに記憶されたコンピュータ実行可能命令を実行し、それにより基地局が図６において説明されるスケジューリング方法を行う。
【０１４８】
本実施形態において提供する基地局は、図６において説明するスケジューリング方法を行うよう構成される。従って、基地局により実現され得る技術的効果については、上記の方法の実施形態における説明を参照されたい。ここでは改めて詳細を説明しない。
【０１４９】
本発明の一実施形態はさらに、基地局１５０を提供する。図１５に示すように、基地局は、プロセッサ１５０１と、メモリ１５０３と、バス１５０２と、通信インタフェース１５０４とを備える。
【０１５０】
プロセッサ１５０１、メモリ１５０３、および通信インタフェース１５０４は、バス１５０２を用いて互いに接続されて通信する。
【０１５１】
プロセッサ１５０１は、本発明の本実施形態を実装するよう構成されるシングルコアもしくはマルチコアの中央処理ユニット、または特定用途向け集積回路、または１もしくは複数の集積回路であってよい。
【０１５２】
メモリ１５０３は、高速ＲＡＭであってよく、または少なくとも１つの磁気ディスクストレージ１５０３などの不揮発性メモリ１５０３であってもよい。
【０１５３】
メモリ１５０３は、コンピュータ実行可能命令１５０３１を記憶するよう構成される。具体的には、コンピュータ実行可能命令１５０３１は、プログラムコードを含んでよい。
【０１５４】
基地局１５０が動作するとき、プロセッサ１５０１は、メモリ１５０３に記憶されたコンピュータ実行可能命令１５０３１を実行し、それにより基地局１５０が図８において説明される電力制御方法を行う。
【０１５５】
本実施形態において提供する基地局は、図８において説明するスケジューリング方法を行うよう構成される。従って、基地局により実現され得る技術的効果については、上記の方法の実施形態における説明を参照されたい。ここでは改めて詳細を説明しない。
【０１５６】
加えて、本発明の一実施形態はさらに、コンピュータ可読媒体であって、実行されると上記の実施形態における図６および図８に示す方法の実施形態において基地局により行われるオペレーションを行うコンピュータ可読命令を含むコンピュータ可読媒体を提供する。
【０１５７】
加えて、本発明の一実施形態はさらに、上記のコンピュータ可読媒体を含むコンピュータプログラム製品を提供する。
【０１５８】
当業者であれば、本明細書に開示の実施形態において説明する例と組み合わせて、ユニットおよびアルゴリズムの段階が、電子的ハードウェアまたはコンピュータソフトウェアと電子的ハードウェアとの組み合わせによって実装されてよいことを認識されよう。それらの機能がハードウェアによって行われるかソフトウェアによって行われるかは、技術的解決手段の特定のアプリケーションおよび設計制約条件に依存する。当業者であれば、特定のアプリケーションごとに、異なる方法を用いて説明されている機能を実装し得るが、その実装が本発明の範囲を超えるものとみなされるべきではない。
【０１５９】
当業者には明確に理解され得ることとして、説明を簡便かつ簡潔にするために、上記のシステム、装置、およびユニットの詳細な動作プロセスについては、上記の方法の実施形態における対応するプロセスが参照されるものとしてよく、ここでは改めて詳細を説明しない。
【０１６０】
本願において提供するいくつかの実施形態において、開示のシステム、装置、および方法は、他の方式で実装されてよいことを理解されたい。例えば、説明されている装置の実施形態は一例に過ぎない。例えば、ユニットの区分けは、論理的機能の区分けに過ぎない場合があり、実際の実装においては他の区分けであってよい。例えば、複数のユニットまたはコンポーネントを組み合わせてまたは統合して別のシステムとしてもよく、あるいはいくつかの特徴が無視されてよい、または行われなくてよい。加えて、表示または議論されている相互結合もしくは直接的結合または通信接続は、いくつかのインタフェースを用いて実装されてよい。装置間またはユニット間の間接的結合または通信接続は、電子的形態、機械的形態、または他の形態で実装されてよい。
【０１６１】
別個の部分として説明されているユニットは、物理的に別個であってもなくてもよく、ユニットとして表示されている部分は、物理的ユニットであってもなくてもよく、１か所に配置されてもよく、複数のネットワークユニット上に分散されてもよい。それらのユニットの一部または全てが、実施形態の解決手段の目的を実現するための実際の要件に従って選択されてよい。
【０１６２】
加えて、本発明の実施形態における機能ユニットが１つの処理ユニットに統合されてもよく、またはユニットの各々が物理的に単独で存在してもよく、または２つまたはそれより多くのユニットが１つのユニットに統合される。
【０１６３】
それらの機能がソフトウェア機能ユニットの形態で実装され、独立製品として販売または使用されるとき、それらの機能は、コンピュータ可読記憶媒体に記憶されてよい。そのような理解に基づいて、本発明の技術的解決手段は本質的に、または従来技術に寄与する部分、または技術的解決手段の一部は、ソフトウェア製品の形態で実装されてよい。コンピュータソフトウェア製品は、記憶媒体に記憶され、本発明の実施形態において説明する方法の段階の全てまたは一部を行うようコンピュータデバイス（これはパーソナルコンピュータ、サーバ、またはネットワークデバイスであってよい）に命令するためのいくつかの命令を含む。上記の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体を含む。
【０１６４】
上記の説明は、本発明の具体的な実装に過ぎず、本発明の保護範囲を限定することを意図するものではない。本発明に開示の技術的範囲内で当業者により容易に想到されるあらゆる変形または置換が、本発明の保護範囲に含まれるものとする。従って、本発明の保護範囲は、特許請求の範囲の保護範囲に従うものとする。
【図１】
2019522439.tif 000066
【図２】
2019522439.tif 000067
【図３】
2019522439.tif 000068
【図４】
2019522439.tif 000069
【図５】
2019522439.tif 000070
【図６】
2019522439.tif 000071
【図７】
2019522439.tif 000072
【図８】
2019522439.tif 000073
【図９】
2019522439.tif 000074
【図１０】
2019522439.tif 000075
【図１１】
2019522439.tif 000076
【図１２】
2019522439.tif 000077
【図１３】
2019522439.tif 000078
【図１４】
2019522439.tif 000079
【図１５】
2019522439.tif 000080
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
電力制御方法であって、
第１基地局が、電力制御サイクルが到来した後に第１リソースブロック（ＲＢ）セットおよび第２ＲＢセットを取得する段階であって、前記第１ＲＢセットは、前記電力制御サイクル内の各伝送時間間隔（ＴＴＩ）における前記第１基地局により第１セル内の第１ユーザ機器（ＵＥ）に割り当てられたＲＢセットであり、前記第２ＲＢセットは、前記電力制御サイクル内の各ＴＴＩにおける第２基地局により第２セル内の第２ＵＥに割り当てられたＲＢセットである、取得する段階と、
前記第１基地局が、前記第１ＲＢセットおよび前記第２ＲＢセットに基づいて前記第１ＵＥに対する電力制御を行う段階と
を備える方法。
【請求項２】
前記第１基地局が、前記第１ＲＢセットおよび前記第２ＲＢセットに基づいて前記第１ＵＥに対する電力制御を前記行う段階は、
前記第１基地局が、前記第１ＲＢセットおよび前記第２ＲＢセットに基づいて、前記電力制御サイクル内の各ＴＴＩに対応する第１システムユーティリティを判定する段階であって、前記第１システムユーティリティは、前記電力制御サイクル内の各ＴＴＩにおける前記第１ＵＥの伝送電力制御（ＴＰＣ）コマンドが−１、０、１、および３である場合に取得される４つのシステムユーティリティを含む、判定する段階と、
前記第１基地局が、前記電力制御サイクル内の各ＴＴＩに対応する前記第１システムユーティリティに基づいて、前記電力制御サイクル内の各ＴＴＩにおける前記第１ＵＥの最適ＴＰＣコマンドを判定する段階であって、前記電力制御サイクル内の各ＴＴＩにおける前記第１ＵＥの前記最適ＴＰＣコマンドは、前記ＴＴＩに対応する前記第１システムユーティリティのうちの最大システムユーティリティに対応するＴＰＣコマンドである、判定する段階と、
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを判定する段階と、
前記第１基地局が、前記最適ＴＰＣコマンドを前記第１ＵＥへ送信する段階であって、それにより前記第１ＵＥが前記最適ＴＰＣコマンドに基づいて伝送電力を調整する、送信する段階と
を含む、
請求項１に記載の方法。
【請求項３】
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを前記判定する段階は、
前記第１基地局が、前記電力制御サイクル内の前記ＴＴＩにおける前記第１ＵＥの前記最適ＴＰＣコマンドについての統計を収集して最頻出ＴＰＣコマンドを判定し、前記最頻出ＴＰＣコマンドを前記電力制御サイクルにおける前記第１ＵＥの前記最適ＴＰＣコマンドとして判定する段階
を含む、
請求項２に記載の方法。
【請求項４】
前記第１基地局が、前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを前記判定する段階は、
前記第１基地局が、前記電力制御サイクル内の前記ＴＴＩにおける前記第１ＵＥの前記最適ＴＰＣコマンドを加算して合計値を取得し、前記電力制御サイクル内の前記ＴＴＩにおける前記最適ＴＰＣコマンドのうち、前記合計値に最も近い前記第１ＵＥの最適ＴＰＣコマンドを、前記電力制御サイクルにおける前記第１ＵＥの前記最適ＴＰＣコマンドとして判定する段階
を含む、
請求項２に記載の方法。
【請求項５】
前記第１基地局は、予め定められた計算式を用いてシステムユーティリティを計算し、前記予め定められた計算式は、
【数６】
2019522439.tif 000081
であり、式中、
【数７】
2019522439.tif 000082
であり、Ｕは前記システムユーティリティを表し、
【数８】
2019522439.tif 000083
はシステム内におけるｊ番目のＵＥの伝送レートを表し、Ｂは前記ｊ番目のＵＥにより占有されるＲＢの数を表し、Ｓは前記ｊ番目のＵＥの伝送電力を表し、Ｉは前記ｊ番目のＵＥに対する干渉の強度を表し、Ｎは雑音強度を表す、
請求項２から４のいずれか一項に記載の方法。
【請求項６】
基地局であって、
取得ユニットと制御ユニットとを備え、
前記取得ユニットは、電力制御サイクルが到来した後に第１リソースブロック（ＲＢ）セットおよび第２ＲＢセットを取得するよう構成され、前記第１ＲＢセットは、前記電力制御サイクル内の各伝送時間間隔（ＴＴＩ）における前記基地局により第１セル内の第１ユーザ機器（ＵＥ）に割り当てられたＲＢセットであり、前記第２ＲＢセットは、前記電力制御サイクル内の各ＴＴＩにおける第２基地局により第２セル内の第２ＵＥに割り当てられたＲＢセットであり、
前記制御ユニットは、前記第１ＲＢセットおよび前記第２ＲＢセットに基づいて前記第１ＵＥに対する電力制御を行うよう構成される、
基地局。
【請求項７】
前記制御ユニットは具体的に、
前記第１ＲＢセットおよび前記第２ＲＢセットに基づいて、前記電力制御サイクル内の各ＴＴＩに対応する第１システムユーティリティを判定することであって、前記第１システムユーティリティは、前記電力制御サイクル内の各ＴＴＩにおける前記第１ＵＥの伝送電力制御（ＴＰＣ）コマンドが−１、０、１、および３である場合に取得される４つのシステムユーティリティを含む、判定することと、
前記電力制御サイクル内の各ＴＴＩに対応する前記第１システムユーティリティに基づいて、前記電力制御サイクル内の各ＴＴＩにおける前記第１ＵＥの最適ＴＰＣコマンドを判定することであって、前記電力制御サイクル内の各ＴＴＩにおける前記第１ＵＥの前記最適ＴＰＣコマンドは、前記ＴＴＩに対応する前記第１システムユーティリティのうちの最大システムユーティリティに対応するＴＰＣコマンドである、判定することと、
前記電力制御サイクル内の各ＴＴＩにおける前記第１ＵＥの前記最適ＴＰＣコマンドに基づいて、前記電力制御サイクルにおける前記第１ＵＥの最適ＴＰＣコマンドを判定することと、
前記最適ＴＰＣコマンドを前記第１ＵＥへ送信することであって、それにより前記第１ＵＥが前記最適ＴＰＣコマンドに基づいて伝送電力を調整する、送信することと
を行うよう構成される、
請求項６に記載の基地局。
【請求項８】
前記制御ユニットは具体的に、
前記電力制御サイクル内の前記ＴＴＩにおける前記第１ＵＥの前記最適ＴＰＣコマンドについての統計を収集して最頻出ＴＰＣコマンドを判定し、前記最頻出ＴＰＣコマンドを前記電力制御サイクルにおける前記第１ＵＥの前記最適ＴＰＣコマンドとして判定する
よう構成される、
請求項７に記載の基地局。
【請求項９】
前記制御ユニットは具体的に、
前記電力制御サイクル内の前記ＴＴＩにおける前記第１ＵＥの前記最適ＴＰＣコマンドを加算して合計値を取得し、前記電力制御サイクル内の前記ＴＴＩにおける前記最適ＴＰＣコマンドのうち、前記合計値に最も近い前記第１ＵＥの最適ＴＰＣコマンドを、前記電力制御サイクルにおける前記第１ＵＥの前記最適ＴＰＣコマンドとして判定する
よう構成される、
請求項７に記載の基地局。
【請求項１０】
前記制御ユニットは具体的に、
予め定められた計算式を用いてシステムユーティリティを計算するよう構成され、前記予め定められた計算式は、
【数６】
2019522439.tif 000084
であり、式中、
【数７】
2019522439.tif 000085
であり、Ｕは前記システムユーティリティを表し、
【数８】
2019522439.tif 000086
はシステム内におけるｊ番目のＵＥの伝送レートを表し、Ｂは前記ｊ番目のＵＥにより占有されるＲＢの数を表し、Ｓは前記ｊ番目のＵＥの伝送電力を表し、Ｉは前記ｊ番目のＵＥに対する干渉の強度を表し、Ｎは雑音強度を表す、
請求項７から９のいずれか一項に記載の基地局。
【請求項１１】
コンピュータに請求項１から５のいずれか一項に記載の方法を実行させるためのプログラム。
【手続補正２】
【補正対象書類名】明細書
【補正対象項目名】０００２
【補正方法】変更
【補正の内容】
【０００２】
移動体通信システムにおいて、セル内干渉およびセル間干渉（Ｉｎｔｅｒ−Ｃｅｌｌ  Ｉｎｔｅｒｆｅｒｅｎｃｅ、ＩＣＩ）は、システムパフォーマンスを制限する２つの主要な因子である。ロングタームエボリューション（Ｌｏｎｇ  Ｔｅｒｍ  Ｅｖｏｌｕｔｉｏｎ、ＬＴＥ）システムにおいて用いられる直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術は、直交するサブキャリアを提供することができ、それによりセル内干渉の課題を良好に解決することができる。結果として、セル間干渉が、ＬＴＥシステムのパフォーマンスを制限するより主要な因子となる。
【手続補正３】
【補正対象書類名】明細書
【補正対象項目名】０００３
【補正方法】変更
【補正の内容】
【０００３】
現在、セル間干渉の抑制には、セル間干渉制御（Ｉｎｔｅｒ−Ｃｅｌｌ  Ｉｎｔｅｒｆｅｒｅｎｃｅ  Ｃｏｏｒｄｉｎａｔｉｏｎ、ＩＣＩＣ）技術が用いられている。この技術の原理は、セル中心ユーザ（Ｃｅｌｌ  Ｃｅｎｔｅｒ  Ｕｓｅｒ、ＣＣＵ）には全ての周波数リソースを自由に使用することを許可し、セル端ユーザ（Ｃｅｌｌ  Ｅｄｇｅ  Ｕｓｅｒ、ＣＥＵ）には周波数多重化ルールに従って一部の周波数リソースのみの使用を許可することである。例えば、図１に示すように、システムの周波数リソースが３つの帯域に分割される場合がある。全セルのＣＣＵには全ての周波数リソースの使用が許可される一方で、セル１のＣＥＵには第１周波数帯域のみの使用が許可され、セル２、セル４、およびセル６のＣＥＵには第２周波数帯域のみの使用が許可され、セル３、セル５、およびセル７のＣＥＵには第３周波数帯域のみの使用が許可される。このようにすることで、隣接セルのＣＥＵによって使用される周波数リソースが重複しないようにでき、隣接セルのＣＥＵ間の干渉を効果的に抑制することができる。
【手続補正４】
【補正対象書類名】明細書
【補正対象項目名】００２１
【補正方法】変更
【補正の内容】
【００２１】
第４態様の第２の可能な実装例において、第１基地局が、電力制御サイクル内の各ＴＴＩにおける第１ＵＥの最適ＴＰＣコマンドに基づいて、電力制御サイクルにおける第１ＵＥの最適ＴＰＣコマンドを判定する段階は、第１基地局が、電力制御サイクル内のＴＴＩにおける第１ＵＥの最適ＴＰＣコマンドについての統計を収集して最頻出ＴＰＣコマンドを判定し、最頻出ＴＰＣコマンドを電力制御サイクルにおける第１ＵＥの最適ＴＰＣコマンドとして判定する段階を含む。
【手続補正５】
【補正対象書類名】明細書
【補正対象項目名】００２６
【補正方法】変更
【補正の内容】
【００２６】
第５態様の第２の可能な実装例において、制御ユニットは具体的に、電力制御サイクル内のＴＴＩにおける第１ＵＥの最適ＴＰＣコマンドについての統計を収集して最頻出ＴＰＣコマンドを判定し、最頻出ＴＰＣコマンドを電力制御サイクルにおける第１ＵＥの最適ＴＰＣコマンドとして判定するよう構成される。
【手続補正６】
【補正対象書類名】明細書
【補正対象項目名】００５８
【補正方法】変更
【補正の内容】
【００５８】
第１基地局および第２基地局が２つの異なる基地局であるとき、具体的には図２および図４に示すアプリケーションシナリオにおいて、第１基地局は、Ｘ２インタフェースを介して第２基地局と通信することで第２ＲＢセットを取得してよいことに留意されたい。第１基地局および第２基地局が同一の基地局であるとき、具体的には図３に示すアプリケーションシナリオにおいて、第１基地局は、直接的に第２ＲＢセットを取得してよい。
【手続補正７】
【補正対象書類名】明細書
【補正対象項目名】００６７
【補正方法】変更
【補正の内容】
【００６７】
別の任意選択的な実装においては、第２基地局により測定される参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）が対応する補正係数に変換され、当該補正係数を用いて、第１基地局により測定された
【数５】
2019522439.tif 000087
を補正し、第１ＵＥのスケジューリングがキャンセルされたときに用いられる
【数５】
2019522439.tif 000088
を取得する。
【手続補正８】
【補正対象書類名】明細書
【補正対象項目名】０１００
【補正方法】変更
【補正の内容】
【０１００】
例えば、現在の電力制御サイクル内のあるＴＴＩにおいて、第１ＵＥのＴＰＣコマンドが−１であるとき、対応する第１システムユーティリティはＵ−１＝２３であり、第１ＵＥのＴＰＣコマンドが０であるとき、対応する第１システムユーティリティはＵ０＝６であり、第１ＵＥのＴＰＣコマンドが１であるとき、対応する第１システムユーティリティはＵ１＝１２であり、第１ＵＥのＴＰＣコマンドが３であるとき、対応する第１システムユーティリティはＵ３＝５であると仮定する。最大システムユーティリティはＵ−１＝２３であり、従って、そのＴＴＩにおける第１ＵＥの最適ＴＰＣコマンドは−１であると判定される。
【手続補正９】
【補正対象書類名】明細書
【補正対象項目名】０１０３
【補正方法】変更
【補正の内容】
【０１０３】
第１の方法においては、電力制御サイクル内のＴＴＩにおける第１ＵＥの最適ＴＰＣコマンドについての統計を収集して最頻出ＴＰＣコマンドを判定し、最頻出ＴＰＣコマンドを電力制御サイクルにおける第１ＵＥの最適ＴＰＣコマンドとして判定する。
【手続補正１０】
【補正対象書類名】明細書
【補正対象項目名】０１０４
【補正方法】変更
【補正の内容】
【０１０４】
例えば、１つの電力制御サイクルが１０のＴＴＩを含み、現在の電力制御サイクル内の各ＴＴＩにおける第１ＵＥの最適ＴＰＣコマンドが図１０に示すものである、具体的にはＴＴＩ０、ＴＴＩ１、ＴＴＩ２等を含む１０のＴＴＩにおける第１ＵＥの最適ＴＰＣコマンドがそれぞれ１、１、３、１、−１、−１、−１、０、−１、−１であると仮定する。この場合、ＴＰＣコマンド値−１が最も頻繁に出現することが統計により判定されてよい。従って、現在の電力制御サイクルにおける第１ＵＥの最適ＴＰＣコマンドは１であると判定される。
【手続補正１１】
【補正対象書類名】明細書
【補正対象項目名】０１１７
【補正方法】変更
【補正の内容】
【０１１７】
本発明の一実施形態はさらに、基地局１２０を提供する。図１２に示すように、基地局１２０は、取得ユニット１２０１と、調整ユニット１２０２と、スケジューリングユニット１２０３とを備える。
【手続補正１２】
【補正対象書類名】明細書
【補正対象項目名】０１２１
【補正方法】変更
【補正の内容】
【０１２１】
第１ＲＢセットは、基地局１２０により第１セル内の第１ＵＥに割り当てられたＲＢセットであり、第２ＲＢセットは、第２基地局により第２セル内の第２ＵＥに割り当てられたＲＢセットである。
【手続補正１３】
【補正対象書類名】明細書
【補正対象項目名】０１３０
【補正方法】変更
【補正の内容】
【０１３０】
本発明の一実施形態はさらに、基地局１３０を提供し、図１３に示すように、基地局は、取得ユニット１３０１と制御ユニット１３０２とを含む。
【手続補正１４】
【補正対象書類名】明細書
【補正対象項目名】０１３３
【補正方法】変更
【補正の内容】
【０１３３】
第１ＲＢセットは、電力制御サイクル内の各ＴＴＩにおける基地局１３０により第１セル内の第１ＵＥに割り当てられたＲＢセットであり、第２ＲＢセットは、電力制御サイクル内の各ＴＴＩにおける第２基地局により第２セル内の第２ＵＥに割り当てられたＲＢセットである。
【手続補正１５】
【補正対象書類名】明細書
【補正対象項目名】０１３６
【補正方法】変更
【補正の内容】
【０１３６】
本発明の本実施形態の任意選択的な実装において、制御ユニット１３０２は具体的に、
電力制御サイクル内のＴＴＩにおける第１ＵＥの最適ＴＰＣコマンドについての統計を収集して最頻出ＴＰＣコマンドを判定し、最頻出ＴＰＣコマンドを電力制御サイクルにおける第１ＵＥの最適ＴＰＣコマンドとして判定する
よう構成されてよい。
【国際調査報告】
2019522439.tif 000089
2019522439.tif 000090
2019522439.tif 000091
2019522439.tif 000092